(57)【要約】  第１の特徴に係る基地局は、移動通信システムにおいて用いられる。前記基地局は、アンライセンスドバンドにおいて、下りリンクサブフレームを使用して制御信号及びデータを送信する送信部と、前記送信部による送信を制御する制御部と、を備える。前記下りリンクサブフレームは、前記制御信号が配置されるＰＤＣＣＨ区間と前記データが配置されるＰＤＳＣＨ区間とを含む。前記ＰＤＣＣＨ区間において、前記制御信号が配置されない空き領域が存在する場合、前記制御部は、前記空き領域にダミー信号を配置する。
2016121730.tif 000002
【特許請求の範囲】
【請求項１】
移動通信システムにおいて用いられる基地局であって、
アンライセンスドバンドにおいて、下りリンクサブフレームを使用して制御信号及びデータを送信する送信部と、
前記送信部による送信を制御する制御部と、を備え、
前記下りリンクサブフレームは、前記制御信号が配置されるＰＤＣＣＨ区間と前記データが配置されるＰＤＳＣＨ区間とを含み、
前記ＰＤＣＣＨ区間において、前記制御信号が配置されない空き領域が存在する場合、前記制御部は、前記空き領域にダミー信号を配置する基地局。
【請求項２】
前記ダミー信号は、下りリンク同期信号である請求項１に記載の基地局。
【請求項３】
前記ダミー信号は、自基地局配下のユーザ端末に未割り当てのＲＮＴＩが適用された制御信号である請求項１に記載の基地局。
【請求項４】
制御信号が配置されるＰＤＣＣＨ区間とデータが配置されるＰＤＳＣＨ区間とを含む下りリンクサブフレームが規定された移動通信システムにおいて用いられる基地局であって、
ライセンスドバンドにおいて、前記制御信号を送信する第１の送信部と、
アンライセンスドバンドにおいて、特別な下りリンクサブフレームを使用して、少なくとも前記データを送信する第２の送信部と、を備え、
前記特別な下りリンクサブフレームは、前記ＰＤＣＣＨ区間に相当する特定区間を含み、
前記特定区間は、前記制御信号及び前記データの何れも配置されない区間である基地局。
【請求項５】
前記特定区間には、前記制御信号とは異なる特定の下りリンク無線信号が配置される請求項４に記載の基地局。
【請求項６】
前記特定の下りリンク無線信号は、下りリンク同期信号、下りリンクブロードキャスト信号、及びヘッダ信号のうち少なくとも１つであり、
前記ヘッダ信号は、前記制御信号に相当するスケジューリング情報を含む信号である請求項５に記載の基地局。
【請求項７】
制御信号が配置されるＰＤＣＣＨ区間とデータが配置されるＰＤＳＣＨ区間とを含む下りリンクサブフレームが規定された移動通信システムにおいて用いられる基地局であって、
アンライセンスドバンドにおいて、特別な下りリンクサブフレームを使用して、少なくとも前記制御信号及び前記データを送信する送信部を備え、
前記特別な下りリンクサブフレームは、前記制御信号及び特定の下りリンク無線信号が前記ＰＤＣＣＨ区間において共存するサブフレームであり、
前記特定の下りリンク無線信号は、下りリンク同期信号、下りリンクブロードキャスト信号、及びヘッダ信号のうち少なくとも１つである基地局。
【請求項８】
前記ヘッダ信号は、前記制御信号に相当するスケジューリング情報を含む信号である請求項７に記載の基地局。
【請求項９】
前記特別な下りリンクサブフレームの前記ＰＤＣＣＨ区間のうち一部のシンボル区間に、前記特定の下りリンク無線信号が配置され、
前記特定の下りリンク無線信号は、前記一部のシンボル区間の全周波数帯域に亘って配置される請求項７に記載の基地局。
【請求項１０】
前記特別な下りリンクサブフレームの前記ＰＤＣＣＨ区間のうち少なくとも一部のシンボル区間に、前記特定の下りリンク無線信号が配置され、
前記少なくとも一部のシンボル区間において、前記制御信号及び前記特定の下りリンク無線信号が周波数分割で配置される請求項７に記載の基地局。
【請求項１１】
前記少なくとも一部のシンボル区間において、前記特定の下りリンク無線信号は、前記制御信号が配置されない空き領域に配置される請求項１０に記載の基地局。
【請求項１２】
前記少なくとも一部のシンボル区間において、前記特定の下りリンク無線信号が配置される周波数帯域が規定されており、前記制御信号は、前記特定の下りリンク無線信号が配置されない空き領域に配置される請求項１０に記載の基地局。
【請求項１３】
前記特別な下りリンクサブフレームの前記ＰＤＣＣＨ区間において、前記制御信号に代えて、前記制御信号に相当するスケジューリング情報を含むヘッダ信号が配置される請求項７に記載の基地局。
【請求項１４】
下り同期信号に、オペレータ情報を含めて送信する処理を行う制御部を備える基地局。
【請求項１５】
下りリンクの一のサブフレームにおいて、ＤＲＳ（Ｄｉｓｃｏｖｅｒｙ  Ｒｅｆｅｒｅｎｃｅｓｉｇｎａｌ：ディスカバリー参照信号）を複数回送信する処理を行う制御部を備える基地局。
【請求項１６】
前記制御部は、前記一のサブフレームにおける複数のスロットの各スロットで一つのＤＲＳを送信する請求項１５に記載の基地局。
【請求項１７】
前記各スロットにより送信されたＤＲＳに含まれるＳＳＳ（セカンダリ同期信号）の系列は、いずれのスロットにより送信されたＤＲＳかをユーザ端末が識別可能に構成される請求項１６に記載の基地局。
【請求項１８】
前記制御部は、前記一のサブフレーム内において、前記ＤＲＳを繰り返し送信した回数が所定回数以上になると、送信するＤＲＳがいずれのシンボルによる送信であるかを示す情報を送信する請求項１５に記載の基地局。
【請求項１９】
前記送信するＤＲＳがいずれのシンボルによる送信であるかを示す情報は、前記繰り返し送信した回数に関する情報、シンボル番号及びＳＦＮ（Ｓｙｓｔｅｍ  Ｆｒａｍｅ  Ｎｕｍｂｅｒ）のうち少なくともいずれか一つを含む請求項１８に記載の基地局。
【請求項２０】
アンライセンスドバンドにおいてセルフスケジューリングを行う制御部を備え、
前記制御部は、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を用いてスケジューリング情報をユーザ端末に送信する処理を行う基地局。
【請求項２１】
前記制御部は、複数のｅＰＤＣＣＨの位置を示すヘッダを送信し、当該複数のｅＰＤＣＣＨの位置に沿って前記複数のｅＰＤＣＣＨを送信する処理を行う請求項２０に記載の基地局。
【請求項２２】
前記制御部は、一のｅＰＤＣＣＨの位置を示すヘッダを送信し、当該一のｅＰＤＤＣＨの位置に沿って前記一のｅＰＤＤＣＨを送信した後、その後に続く他のｅＰＤＣＣＨを所定の規則性に沿って送信する処理を行う請求項２０に記載の基地局。
【請求項２３】
複数のオペレータ及び／又は複数の通信システムが共用する特定周波数帯においてユーザ端末との無線通信を行う基地局であって、
前記ユーザ端末に対する下りリンク送信の開始タイミングにおいて第１の同期信号を送信し、前記開始タイミングとは異なるタイミングにおいて第２の同期信号を送信する処理を行う制御部を備え、
前記制御部は、前記第１の同期信号に関連する信号構成を前記第２の同期信号に関連する信号構成と異ならせる基地局。
【請求項２４】
前記制御部は、前記第１の同期信号の信号系列を前記第２の同期信号の信号系列と異ならせる請求項２３に記載の基地局。
【請求項２５】
前記第１の同期信号は、第１のセカンダリ同期信号を含み、
前記第２の同期信号は、第２のセカンダリ同期信号を含み、
前記制御部は、前記第１のセカンダリ同期信号の信号系列を前記第２のセカンダリ同期信号の信号系列と異ならせる請求項２４に記載の基地局。
【請求項２６】
前記制御部は、前記第１の同期信号のリソース配置パターンを前記第２の同期信号のリソース配置パターンと異ならせる請求項２３に記載の基地局。
【請求項２７】
前記制御部は、
周波数方向における前記第２の同期信号の数を一定数に設定し、
前記周波数方向における前記第１の同期信号の数を送信帯域幅に応じた数に設定する請求項２３に記載の基地局。
【請求項２８】
前記制御部は、前記第１の同期信号に付随する第１の参照信号を送信し、前記第２の同期信号に付随する第２の参照信号を送信する処理を行い、
前記制御部は、前記第１の参照信号のリソース配置パターン又は信号系列を前記第２の参照信号とは異ならせる請求項２３に記載の基地局。
【請求項２９】
複数のオペレータ及び／又は複数の通信システムが共用する特定周波数帯において基地局との無線通信を行うユーザ端末であって、
前記ユーザ端末に対する下りリンク送信の開始タイミングにおいて第１の同期信号を前記基地局から受信し、前記開始タイミングとは異なるタイミングにおいて第２の同期信号を前記基地局から受信する処理を行う制御部を備え、
前記第１の同期信号に関連する信号構成は、前記第２の同期信号に関連する信号構成と異なり、
前記制御部は、前記信号構成の相違に基づいて前記第１の同期信号及び前記第２の同期信号を区別するユーザ端末。
【請求項３０】
複数のオペレータ及び／又は複数の通信システムが共用する特定周波数帯において無線通信を行う無線通信装置であって、
複数のサブフレームにわたって前記無線通信を行う場合、前記複数のサブフレームのうちの対象サブフレームにおいてサブフレーム数情報を送信する処理を行う制御部を備え、
前記サブフレーム数情報は、前記複数のサブフレームのうち前記対象サブフレーム以降のサブフレームの数に関する情報である無線通信装置。
【請求項３１】
前記制御部は、連続する複数のサブフレームからなる送信期間にわたって送信を行う場合、前記連続する複数のサブフレームのうち前記対象サブフレームにおいて前記サブフレーム数情報を送信する処理を行う請求項３０に記載の無線通信装置。
【請求項３２】
前記サブフレーム数情報は、残りの送信期間に相当するサブフレームの数を示す請求項３１に記載の無線通信装置。
【請求項３３】
前記制御部は、前記連続する複数のサブフレームからなる前記送信期間にわたって送信を行った後、少なくとも１つのサブフレームからなる受信期間にわたって受信を行う場合、前記連続する複数のサブフレームのうちの前記対象サブフレームにおいて前記サブフレーム数情報を送信する処理を行う請求項３１に記載の無線通信装置。
【請求項３４】
前記サブフレーム数情報は、前記受信期間が開始するまでのサブフレームの数を示す請求項３３に記載の無線通信装置。
【請求項３５】
前記サブフレーム数情報は、前記受信期間が終了するまでのサブフレームの数を示す請求項３３に記載の無線通信装置。
【請求項３６】
前記制御部は、前記送信期間と前記受信期間との間に時間間隔が存在する場合、前記時間間隔を示す情報をさらに送信する処理を行う請求項３３に記載の無線通信装置。
【請求項３７】
前記対象サブフレームは、前記連続する複数のサブフレームのうち最初のサブフレームを含む請求項３１に記載の無線通信装置。
【請求項３８】
前記対象サブフレームは、前記連続する複数のサブフレームのうち最初のサブフレーム以外のサブフレームを含む請求項３１に記載の無線通信装置。
【請求項３９】
複数のオペレータ及び／又は複数の通信システムが共用する特定周波数帯において無線通信を行う無線通信装置であって、
複数のサブフレームにわたって他の無線通信装置が前記特定周波数帯において無線通信を行う場合、前記複数のサブフレームのうちの対象サブフレームにおいて前記他の無線通信装置からサブフレーム数情報を受信する処理を行う制御部を備え、
前記サブフレーム数情報は、前記複数のサブフレームのうち前記対象サブフレーム以降のサブフレームの数に関する情報であり、
前記制御部は、前記サブフレーム数情報に基づいて、前記特定周波数帯を監視する動作を停止する無線通信装置。
【請求項４０】
複数のオペレータ及び／又は複数の通信システムが共用する特定周波数帯において無線通信を行う無線通信装置であって、
複数のシンボル区間からなるサブフレームのうち対象シンボル区間から送信を開始する場合、前記対象シンボル区間においてシンボル数情報を送信する処理を行う制御部を備え、
前記シンボル数情報は、前記複数のシンボル区間のうち前記対象シンボル区間以降のシンボル区間の数に関する情報である無線通信装置。
【請求項４１】
前記制御部は、他の無線通信装置に対する送信の開始を示す初期信号に前記シンボル数情報を含めて送信する処理を行い、
前記シンボル数情報は、前記複数のシンボル区間のうちデータ送信用のシンボル区間の数に関する情報である請求項４０に記載の無線通信装置。
【請求項４２】
前記対象シンボル区間は、前記複数のシンボル区間のうち最初のシンボル区間以外のシンボル区間を含む請求項４０に記載の無線通信装置。
【請求項４３】
アンライセンスドバンドにおいて下りリンクデータを送信する制御部を備え、
前記制御部は、サブフレーム内の予め規定されたタイミングである開始タイミング候補の中から、前記下りリンクデータの送信を開始する開始タイミングを決定する基地局。
【発明の詳細な説明】
【技術分野】
【０００１】
本発明は、移動通信システムにおいて用いられる基地局及びユーザ端末に関する。
【背景技術】
【０００２】
近年、移動通信システムにおいて、急増するトラフィック需要に応えるべく、複数のオペレータ及び／又は複数の通信システムが共用する特定周波数帯を無線通信に用いるための検討がなされている。特定周波数帯は、例えば、免許が不要な周波数帯（アンライセンスドバンド）である。【０００３】
このような特定周波数帯を用いて無線通信を行う基地局及び無線端末は、他のオペレータ及び／又は他の通信システムとの干渉を回避するために、ｌｉｓｔｅｎ−ｂｅｆｏｒｅ−ｔａｌｋ（ＬＢＴ）と称される空きチャネル判定処理を行うことが要求される。【０００４】
ＬＢＴは、特定周波数帯内の対象チャネルが空いているか否かを受信信号強度（干渉電力）に基づいて判定し、空きチャネルであると判定された場合に限り対象チャネルを使用する手順である。
【発明の概要】
【０００５】
第１の特徴に係る基地局は、移動通信システムにおいて用いられる。前記基地局は、アンライセンスドバンドにおいて、下りリンクサブフレームを使用して制御信号及びデータを送信する送信部と、前記送信部による送信を制御する制御部と、を備える。前記下りリンクサブフレームは、前記制御信号が配置されるＰＤＣＣＨ区間と前記データが配置されるＰＤＳＣＨ区間とを含む。前記ＰＤＣＣＨ区間において、前記制御信号が配置されない空き領域が存在する場合、前記制御部は、前記空き領域にダミー信号を配置する。
【０００６】
第２の特徴に係る基地局は、制御信号が配置されるＰＤＣＣＨ区間とデータが配置されるＰＤＳＣＨ区間とを含む下りリンクサブフレームが規定された移動通信システムにおいて用いられる。前記基地局は、ライセンスドバンドにおいて、前記制御信号を送信する第１の送信部と、アンライセンスドバンドにおいて、特別な下りリンクサブフレームを使用して、少なくとも前記データを送信する第２の送信部と、を備える。前記特別な下りリンクサブフレームは、前記ＰＤＣＣＨ区間に相当する特定区間を含む。前記特定区間は、前記制御信号及び前記データの何れも配置されない区間である。
【０００７】
第３の特徴に係る基地局は、制御信号が配置されるＰＤＣＣＨ区間とデータが配置されるＰＤＳＣＨ区間とを含む下りリンクサブフレームが規定された移動通信システムにおいて用いられる。前記基地局は、アンライセンスドバンドにおいて、特別な下りリンクサブフレームを使用して、少なくとも前記制御信号及び前記データを送信する送信部を備える。前記特別な下りリンクサブフレームは、前記制御信号及び特定の下りリンク無線信号が前記ＰＤＣＣＨ区間において共存するサブフレームである。前記特定の下りリンク無線信号は、下りリンク同期信号、下りリンクブロードキャスト信号、及びヘッダ信号のうち少なくとも１つである。
【０００８】
第４の特徴に係る基地局は、下り同期信号に、オペレータ情報を含めて送信する処理を行う制御部を備える。
【０００９】
第５の特徴に係る基地局は、下りリンクの一のサブフレームにおいて、ＤＲＳを複数回送信する制御部を備える。
【００１０】
第６の特徴に係る基地局は、アンライセンスドバンドにおいてセルフスケジューリングを行う制御部を備える。前記制御部は、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を用いてスケジューリング情報をユーザ端末に送信する。
【００１１】
第７の特徴に係る基地局は、複数のオペレータ及び／又は複数の通信システムが共用する特定周波数帯においてユーザ端末との無線通信を行う。前記基地局は、前記ユーザ端末に対する下りリンク送信の開始タイミングにおいて第１の同期信号を送信し、前記開始タイミングとは異なるタイミングにおいて第２の同期信号を送信する処理を行う制御部を備える。前記制御部は、前記第１の同期信号に関連する信号構成を前記第２の同期信号に関連する信号構成と異ならせる。
【００１２】
第８の特徴に係るユーザ端末は、複数のオペレータ及び／又は複数の通信システムが共用する特定周波数帯において基地局との無線通信を行う。前記ユーザ端末は、前記ユーザ端末に対する下りリンク送信の開始タイミングにおいて第１の同期信号を前記基地局から受信し、前記開始タイミングとは異なるタイミングにおいて第２の同期信号を前記基地局から受信する処理を行う制御部を備える。前記第１の同期信号に関連する信号構成は、前記第２の同期信号に関連する信号構成と異なる。前記制御部は、前記信号構成の相違に基づいて前記第１の同期信号及び前記第２の同期信号を区別する。
【００１３】
第９の特徴に係る無線通信装置は、複数のオペレータ及び／又は複数の通信システムが共用する特定周波数帯において無線通信を行う。前記無線通信装置は、複数のサブフレームにわたって前記無線通信を行う場合、前記複数のサブフレームのうちの対象サブフレームにおいてサブフレーム数情報を送信する処理を行う制御部を備える。前記サブフレーム数情報は、前記複数のサブフレームのうち前記対象サブフレーム以降のサブフレームの数に関する情報である。
【００１４】
第１０の特徴に係る無線通信装置は、複数のオペレータ及び／又は複数の通信システムが共用する特定周波数帯において無線通信を行う。前記無線通信装置は、複数のサブフレームにわたって他の無線通信装置が前記特定周波数帯において無線通信を行う場合、前記複数のサブフレームのうちの対象サブフレームにおいて前記他の無線通信装置からサブフレーム数情報を受信する処理を行う制御部を備える。前記サブフレーム数情報は、前記複数のサブフレームのうち前記対象サブフレーム以降のサブフレームの数に関する情報である。前記制御部は、前記サブフレーム数情報に基づいて、前記特定周波数帯を監視する動作を停止する。
【００１５】
第１１の特徴に係る無線通信装置は、複数のオペレータ及び／又は複数の通信システムが共用する特定周波数帯において無線通信を行う。前記無線通信装置は、複数のシンボル区間からなるサブフレームのうち対象シンボル区間から送信を開始する場合、前記対象シンボル区間においてシンボル数情報を送信する処理を行う制御部を備える。前記シンボル数情報は、前記複数のシンボル区間のうち前記対象シンボル区間以降のシンボル区間の数に関する情報である。
【００１６】
第１２の特徴に係る基地局は、アンライセンスドバンドにおいて下りリンクデータを送信する制御部を備える。前記制御部は、サブフレーム内の予め規定されたタイミングである開始タイミング候補の中から、前記下りリンクデータの送信を開始する開始タイミングを決定する。
【図面の簡単な説明】
【００１７】
【図１】第１実施形態乃至第９実施形態に係るＬＴＥシステムの構成図である。
【図２】第１実施形態乃至第９実施形態に係る無線インターフェイスのプロトコルスタック図である。
【図３】第１実施形態乃至第９実施形態に係る無線フレームの構成図である。
【図４】第１実施形態乃至第９実施形態に係るＵＥのブロック図である。
【図５】第１実施形態乃至第９実施形態に係るｅＮＢのブロック図である。
【図６】第１実施形態乃至第９実施形態に係るＬＡＡを説明するための図である。
【図７】第１実施形態に係る下りリンクサブフレームを示す図である。
【図８】第２実施形態に係るクロスキャリアスケジューリングを説明するための図である。
【図９】第２実施形態に係る特別な下りリンクサブフレームの構成例１を示す図である。
【図１０】第２実施形態に係る特別な下りリンクサブフレームの構成例２を示す図である。
【図１１】第３実施形態に係る特別な下りリンクサブフレームの構成例１を示す図である。
【図１２】第３実施形態に係る特別な下りリンクサブフレームの構成例２を示す図である。
【図１３】第３実施形態に係る特別な下りリンクサブフレームの構成例３を示す図である。
【図１４】第３実施形態に係る特別な下りリンクサブフレームの構成例４を示す図である。
【図１５】第３実施形態の変更例に係る特別な下りリンクサブフレームの構成例を示す図である。
【図１６】第５実施形態に係るｅＮＢ２００が送信するＤＲＳを示す図である。
【図１７】第６実施形態に係るｅＰＤＣＣＨの送信を示す図である。
【図１８】ＬＢＥ方式のＬＢＴの一例を示すフロー図である。
【図１９】第７実施形態に係る下りリンク送信動作を説明するための図である。
【図２０】第７実施形態に係る第２の方法を説明するための図である。
【図２１】第７実施形態に係る第２の同期信号の一例を示す図である。
【図２２】第７実施形態に係る第１の同期信号の一例を示す図である。
【図２３】第７実施形態の変更例を示す図である。
【図２４】第８実施形態に係る動作を説明するための図である。
【図２５】第８実施形態に係る動作の一例を示すシーケンス図である。
【図２６】第８実施形態の変更例１に係る動作を説明するための図である。
【図２７】第８実施形態の変更例２に係る動作を説明するための図である。
【図２８】ＬＢＥ方式のＬＢＴの一例を示すフロー図である。
【図２９】第９実施形態に係る下りリンク送信動作を説明するための図である。
【図３０】付記１に係るＤＲＳ送信の前のＬｉｓｔｅｎ  ｆａｉｌｕｒｅを示す図である。
【図３１】付記１に係るＬＡＡ  ＤＲＳ  ＲＳＲＰ測定を示す図である。
【図３２】付記１に係る既存のチャネルマッピング及び提案チャネルマッピングの例を示す図である。
【図３３】付記２に係るＬＴＥビーコン送信の例を示す図である。
【図３４】付記２に係るＬＡＡヘッダの例を示す図である。
【図３５】付記３に係る初期信号の例を示す図である。
【図３６】付記３に係る初期信号及びＤＲＳの衝突の例を示す図である。
【図３７】付記４に係るＤＲＳ物理設計の例を示す図である。
【図３８】付記５に係るＬＡＡのためのＥＰＤＣＣＨの例を示す図である。
【図３９】付記５に係るＬＡＡスケジューリングの例を示す図である。
【図４０】付記６に係るＤＬデータ送信の開始タイミングを示す図である。
【図４１】付記６に係る１ＯＦＤＭシンボル内の予約信号を示す図である。
【図４２】付記６に係る部分的重複のケースの例を示す図である。
【図４３】付記６に係る２つのＯＦＤＭシンボルを有する初期信号を示す図である。
【発明を実施するための形態】
【００１８】
［第１実施形態］
（第１実施形態の概要）
ところで、ＬＴＥシステムにおいて、基地局は、物理下りリンク制御チャネル（ＰＤＣＣＨ）を介してユーザ端末に制御信号を送信する。制御信号は、分散した無線リソースに配置されるため、ＰＤＣＣＨ区間に配置される制御信号が疎になり得る。この場合、ＰＤＣＣＨ区間の全体的な電力が低くなる。
【００１９】
よって、基地局がアンライセンスドバンドの周波数チャネルにおいて制御信号を送信していても、他の基地局又は他のシステムは、上述したＬＢＴ手順により、当該周波数チャネルを空きチャネルと判断する虞がある。従って、アンライセンスドバンドにおいてＬＴＥ通信を適切に行うことが難しい。
【００２０】
そこで、第１実施形態は、アンライセンスドバンドにおいてＬＴＥ通信を適切に行うことを可能とする基地局を提供することを目的とする。
【００２１】
第１実施形態に係る基地局は、移動通信システムにおいて用いられる。前記基地局は、アンライセンスドバンドにおいて、下りリンクサブフレームを使用して制御信号及びデータを送信する送信部と、前記送信部による送信を制御する制御部と、を備える。前記下りリンクサブフレームは、前記制御信号が配置されるＰＤＣＣＨ区間と前記データが配置されるＰＤＳＣＨ区間とを含む。前記ＰＤＣＣＨ区間において、前記制御信号が配置されない空き領域が存在する場合、前記制御部は、前記空き領域にダミー信号を配置する。
【００２２】
第１実施形態において、前記ダミー信号は、下りリンク同期信号である。
【００２３】
或いは、第１実施形態において、前記ダミー信号は、自基地局配下のユーザ端末に未割り当てのＲＮＴＩが適用された制御信号である。
【００２４】
以下において、ＬＴＥシステムに本発明を適用する場合の実施形態を説明する。
【００２５】
（ＬＴＥシステムの概要）
先ず、ＬＴＥシステムのシステム構成について説明する。図１は、ＬＴＥシステムの構成を示す図である。
【００２６】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２７】
ＵＥ１００は、ユーザ端末に相当する。ＵＥ１００は、移動型の通信装置であり、セル（サービングセル）との無線通信を行う。ＵＥ１００の構成については後述する。
【００２８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２９】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３０】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３１】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３３】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３５】
ＰＤＣＰ層は、ヘッダ圧縮・伸張、及び暗号化・復号化を行う。
【００３６】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３８】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３９】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４０】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。また、各サブフレームには、セル固有参照信号（ＣＲＳ：Ｃｅｌｌ  ｓｐｅｃｉｆｉｃ  Ｒｅｆｅｒｅｎｃｅ  Ｓｉｇｎａｌ）などの下りリンク参照信号が配置される。
【００４１】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。また、各サブフレームには、サウンディング参照信号（ＳＲＳ）などの上りリンク参照信号が配置される。
【００４２】
（ＵＥ１００の構成）
以下において、ＵＥ１００（ユーザ端末）の構成について説明する。図４は、ＵＥ１００の構成を示すブロック図である。図４に示すように、ＵＥ１００は、受信部１１０、送信部１２０、及び制御部１３０を備える。
【００４３】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【００４４】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【００４５】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００４６】
ＵＥ１００は、ユーザインターフェイス及びバッテリを備えてもよい。ユーザインターフェイスは、ＵＥ１００を所持するユーザとのインターフェイスであり、例えば、ディスプレイ、マイク、スピーカ、及び各種ボタン等を含む。ユーザインターフェイスは、ユーザからの操作を受け付けて、該操作の内容を示す信号を制御部１３０に出力する。バッテリは、ＵＥ１００の各ブロックに供給すべき電力を蓄える。
【００４７】
（ｅＮＢ２００の構成）
以下において、ｅＮＢ２００（基地局）の構成について説明する。図５は、ｅＮＢ２００のブロック図である。図５に示すように、ｅＮＢ２００は、送信部２１０、受信部２２０、制御部２３０、及びバックホール通信部２４０を備える。
【００４８】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００４９】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００５０】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５１】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００５２】
（ＬＡＡ）
第１実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【００５３】
図６は、ＬＡＡを説明するための図である。図６に示すように、ｅＮＢ２００は、ライセンスドバンドで運用されるセル＃１と、アンライセンスドバンドで運用されるセル＃２と、を管理している。図６において、セル＃１がマクロセルであり、セル＃２が小セルである一例を図示しているが、セルサイズはこれに限定されない。
【００５４】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【００５５】
図６の例では、ＵＥ１００は、上りリンク通信及び下りリンク通信をセル＃１と行い、下りリンク通信をセル＃２と行う。このようなキャリアアグリゲーションにより、ＵＥ１００には、ライセンスドバンドの無線リソースに加えて、アンライセンスドバンドの無線リソースが提供されるため、下りリンクのスループットを向上させることができる。
【００５６】
アンライセンスドバンドにおいては、ＬＴＥシステムとは異なるシステム（無線ＬＡＮ等）又は他のオペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、周波数チャネルが空いているか否かを受信電力に基づいて確認し、空きチャネル（ｃｌｅａｒ  ｃｈａｎｎｅｌ）であることが確認された場合に限り当該周波数チャネルを使用する手順である。
【００５７】
このため、ｅＮＢ２００は、ＬＢＴ手順により、セル＃２（アンライセンスドバンド）において空きチャネルを検索し、空きチャネルに含まれる無線リソースをＵＥ１００に割り当てる（スケジューリング）。
【００５８】
第１実施形態において、ｅＮＢ２００は、セル＃２のＰＤＣＣＨを介して、セル＃２におけるスケジューリングを行う。なお、セル＃１のＰＤＣＣＨを介して、セル＃２におけるスケジューリングを行う場合（すなわち、クロスキャリアスケジューリング）については、第３実施形態において説明する。
【００５９】
（下りリンクサブフレーム、ＰＤＣＣＨ）
図７は、下りリンクサブフレームを示す図である。図７に示すように、下りリンクサブフレームは、制御信号（下りリンク制御信号）が配置されるＰＤＣＣＨ区間とデータ（下りリンクデータ）が配置されるＰＤＳＣＨ区間とを含む。図７において、ＰＤＣＣＨ区間が２シンボル分のシンボル長である一例を図示しているが、ＰＤＣＣＨ区間は１乃至３シンボル長の範囲内で変更可能である。
【００６０】
制御信号は、下りリンク及び上りリンクのリソース割当結果を通知するためのスケジューリング情報（Ｌ１／Ｌ２制御情報）を含む。ｅＮＢ２００は、制御信号の送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットを制御信号に含める。ＵＥ１００は、自ＵＥ宛ての可能性がある制御信号について、自ＵＥのＲＮＴＩでＣＲＣビットをデスクランブリングすることにより、ＰＤＣＣＨをブラインド復号して、自ＵＥ宛の制御信号を検出する。
【００６１】
制御信号は、分散した無線リソース（リソースエレメント）に配置される。図７の例では、ＰＤＣＣＨ区間の全リソースエレメント中、制御信号が配置されたリソースエレメントは略半分程度であり、残りのリソースエレメントには制御信号が配置されない。制御信号が配置されないリソースエレメントからなる領域を「空き領域」と称する。このように、ＰＤＣＣＨ区間に配置される制御信号が疎になる結果、ＰＤＣＣＨ区間の全体的な電力が低くなり得る。
【００６２】
図６に示した動作環境において、ｅＮＢ２００が、セル＃２（アンライセンスドバンド）の周波数チャネルにおいて、図７に示す下りリンクサブフレームを使用して制御信号及びデータを送信する場合を想定する。
【００６３】
この場合、ＰＤＣＣＨ区間の電力が低いため、他のｅＮＢ又は他のシステムは、ＬＢＴ手順により、ｅＮＢ２００が使用している周波数チャネルを空きチャネルと判断する虞がある。その結果、当該周波数チャネルにおいて干渉が発生するため、ｅＮＢ２００がＬＴＥ通信を適切に行うことができない。
【００６４】
ここで、このような課題を解決するために、以下のような動作が考えられる。
【００６５】
送信部２１０は、アンライセンスドバンドにおいて、下りリンクサブフレームを使用して制御信号及びデータを送信する。図６の例では、ｅＮＢ２００は、セル＃２（アンライセンスドバンド）の周波数チャネル上で、制御信号及びデータをＵＥ１００に送信する。上述したように、下りリンクサブフレームは、制御信号が配置されるＰＤＣＣＨ区間とデータが配置されるＰＤＳＣＨ区間とを含む。
【００６６】
ｅＮＢ２００の制御部２３０は、ＰＤＣＣＨ区間において、制御信号が配置されない空き領域（図７参照）が存在する場合、制御信号の送信電力を上昇させる。図７の例では、ＰＤＣＣＨ区間において制御信号が配置されたリソースエレメントそれぞれの送信電力を上昇させる。ここで、「制御信号の送信電力を上昇させる」とは、少なくとも、通常の制御信号の送信電力よりも高い電力で制御信号を送信することをいう。ｅＮＢ２００の制御部２３０は、ＰＤＣＣＨ区間に空き領域が存在する場合、空き領域が存在しない場合におけるＰＤＣＣＨ区間全体の送信電力に近づくように、制御信号の送信電力を上昇させる。
【００６７】
しかしながら、制御信号の送信電力を上昇（ブースト）させる方法は、法令により禁止される国がある。
【００６８】
そこで、第１実施形態において、ｅＮＢ２００は、空き領域（図７参照）にダミー信号を配置することにより、制御信号の送信電力を上昇させることなく、ＰＤＣＣＨ区間の電力を高くする。
【００６９】
（第１実施形態に係る動作）
以下において、アンライセンスドバンドにおいてＬＴＥ通信を適切に行うためのｅＮＢ２００の動作について説明する。
【００７０】
第１実施形態に係るｅＮＢ２００の送信部２１０は、アンライセンスドバンドにおいて、下りリンクサブフレームを使用して制御信号及びデータを送信する。上述したように、下りリンクサブフレームは、制御信号が配置されるＰＤＣＣＨ区間とデータが配置されるＰＤＳＣＨ区間とを含む。
【００７１】
ＰＤＣＣＨ区間において、制御信号が配置されない空き領域（図７参照）が存在する場合、ｅＮＢ２００の制御部２３０は、空き領域にダミー信号を配置する。図７の例では、ＰＤＣＣＨ区間において制御信号が配置されない全てのリソースエレメントにダミー信号を配置する。但し、制御信号が配置されない全てのリソースエレメントにダミー信号を配置する場合に限定されない。制御信号が配置されない一部のリソースエレメントにのみダミー信号を配置してもよい。
【００７２】
このように、ＰＤＣＣＨ区間の空き領域にダミー信号を配置することにより、ＰＤＣＣＨ区間の電力を高くすることができる。
【００７３】
ここで、ダミー信号は、下りリンク同期信号であってもよい。下りリンク同期信号とは、例えば、プライマリ同期信号（ＰＳＳ）及びセカンダリ同期信号（ＳＳＳ）である。アンライセンスドバンドには、ライセンスドバンドで使用されるキャリア構造とは異なる新たなキャリア構造が適用されることが想定される。新たなキャリア構造とは、例えば下りリンク同期信号の密度が低いキャリア構造である。そのような新たなキャリア構造を使用する場合、ライセンスドバンドに比べて、下りリンクの同期の確立が難しくなる。そこで、ＰＤＣＣＨ区間の空き領域に下りリンク同期信号を配置することにより、下りリンクの同期の確立を円滑化することができる。具体的には、ＵＥ１００の受信部１１０は、ＰＤＣＣＨ区間の同期信号に基づき同期をとるとともに、ＰＤＣＣＨ区間の制御信号を復号する。
【００７４】
或いは、ダミー信号は、ＲＮＴＩが適用されない特定の下りリンク無線信号であてもよい。通常、ＰＤＣＣＨ上で送信される制御信号にはＲＮＴＩ（Ｃ−ＲＮＴＩ）が適用されているため、ＲＮＴＩが適用されない信号（特定の下りリンク無線信号）をＰＤＣＣＨ上で送信しても、当該信号はＵＥ１００において復号されないため、ＵＥ１００に悪影響を与えることはない。特定の下りリンク無線信号は、後述するヘッダ信号又は下りリンクブロードキャスト信号であってもよい。
【００７５】
或いは、ダミー信号は、ＵＥ１００に未割り当てのＲＮＴＩが適用された制御信号であってもよい。未割り当てのＲＮＴＩとは、アンライセンスドバンドのセル＃２（図６参照）内の各ＵＥ１００に割り当てられていないＲＮＴＩである。そのようなＲＮＴＩが適用された制御信号をＰＤＣＣＨ上で送信しても、当該制御信号はＵＥ１００において復号されない、ＵＥ１００に悪影響を与えることはない。
【００７６】
（第１実施形態のまとめ）
第１実施形態において、ｅＮＢ２００は、アンライセンスドバンドの周波数チャネルにおいて使用する下りリンクサブフレームのＰＤＣＣＨ区間に空き領域が存在する場合、当該空き領域にダミー信号を配置する。これにより、制御信号をブーストすることなく、ＰＤＣＣＨ区間の電力を高くすることができるため、他のｅＮＢ又は他のシステムは、ＬＢＴ手順により、ｅＮＢ２００が使用している周波数チャネルを空きチャネルと判断しない。その結果、ｅＮＢ２００が当該周波数チャネルの使用を継続することが可能になり、ＬＴＥ通信を適切に行うことができる。
【００７７】
［第２実施形態］
（第２実施形態の概要）
第２実施形態に係る基地局は、制御信号が配置されるＰＤＣＣＨ区間とデータが配置されるＰＤＳＣＨ区間とを含む下りリンクサブフレームが規定された移動通信システムにおいて用いられる。前記基地局は、ライセンスドバンドにおいて、前記制御信号を送信する第１の送信部と、アンライセンスドバンドにおいて、特別な下りリンクサブフレームを使用して、少なくとも前記データを送信する第２の送信部と、を備える。前記特別な下りリンクサブフレームは、前記ＰＤＣＣＨ区間に相当する特定区間を含む。前記特定区間は、前記制御信号及び前記データの何れも配置されない区間である。
【００７８】
第２実施形態において、前記特定区間には、前記制御信号とは異なる特定の下りリンク無線信号が配置される。
【００７９】
第２実施形態において、前記特定の下りリンク無線信号は、下りリンク同期信号、下りリンクブロードキャスト信号、及びヘッダ信号のうち少なくとも１つである。前記ヘッダ信号は、前記制御信号に相当するスケジューリング情報を含む信号である。
【００８０】
以下において、第２実施形態について、第１実施形態との相違点を主として説明する。第２実施形態においては、クロスキャリアスケジューリングによりアンライセンスドバンドにおけるスケジューリングを行う。
【００８１】
（クロスキャリアスケジューリング）
以下において、クロスキャリアスケジューリングについて説明する。図８は、クロスキャリアスケジューリングを説明するための図である。
【００８２】
図８に示すように、クロスキャリアスケジューリングは、一のキャリア（一の周波数）において、他のキャリア（他の周波数）のスケジューリング情報を送信するスケジューリング手法である。
【００８３】
図６の例では、ｅＮＢ２００は、セル＃１（ライセンスドバンド）を介して、セル＃２（アンライセンスドバンド）における制御信号をＵＥ１００に送信する。制御信号は、セル＃２（アンライセンスドバンド）におけるスケジューリング情報を含む。ＵＥ１００は、セル＃１を介して受信した制御信号に従ってセル＃２からデータを受信する。
【００８４】
このようなクロスキャリアスケジューリングを使用する場合、セル＃２（アンライセンスドバンド）における制御信号の送信を不要とすることができる。
【００８５】
（第２実施形態に係る動作）
以下において、アンライセンスドバンドにおいてＬＴＥ通信を適切に行うためのｅＮＢ２００の動作について説明する。
【００８６】
第２実施形態に係るｅＮＢ２００は、制御信号が配置されるＰＤＣＣＨ区間とデータが配置されるＰＤＳＣＨ区間とを含む下りリンクサブフレームが規定されたＬＴＥシステムにおいて用いられる。
【００８７】
ｅＮＢ２００は、ライセンスドバンドにおいて制御信号を送信する第１の送信部（送信部２１０の送信機＃１）と、アンライセンスドバンドにおいて、特別な下りリンクサブフレームを使用して、少なくともデータを送信する第２の送信部（送信部２１０の送信機＃２）と、を備える。特別な下りリンクサブフレームは、ＰＤＣＣＨ区間に相当する特定区間を含む。特定区間は、制御信号及びデータの何れも配置されない区間である。このように、クロスキャリアスケジューリングを使用する場合であっても、ＰＤＣＣＨ区間に相当する区間（特定区間）を敢えて設けている。これにより、ＰＤＣＣＨ区間のフォーマットが維持されるため、ＵＥ１００のＰＤＳＣＨ受信動作を変更するインパクトを最小限にすることができる。
【００８８】
また、特定区間には、制御信号とは異なる特定の下りリンク無線信号がＰＤＣＣＨ区間に配置される。これにより、特定区間を有効活用することができる。
【００８９】
図９は、アンライセンスドバンドにおいて使用される特別な下りリンクサブフレームの構成例１を示す図である。図１０は、アンライセンスドバンドにおいて使用される特別な下りリンクサブフレームの構成例２を示す図である。特定区間が２シンボル分のシンボル長である一例を図示しているが、特定区間は、ＰＤＣＣＨ区間と同様に、１乃至３シンボル長の範囲内で変更可能である。
【００９０】
図９に示すように、構成例１において、特別な下りリンクサブフレームは、制御信号とは異なる下りリンク同期信号（特定の下りリンク無線信号）が特定区間に配置されている。下りリンク同期信号は、例えば、プライマリ同期信号（ＰＳＳ）及びセカンダリ同期信号（ＳＳＳ）である。一般的な下りリンク同期信号は下りリンク帯域幅の中央部分にのみ配置されるが、図９に示す下りリンク同期信号は下りリンク帯域幅の全体に亘って配置されている。よって、このようなプライマリ同期信号（ＰＳＳ）及びセカンダリ同期信号（ＳＳＳ）をエンハンストプライマリ同期信号（ｅＰＳＳ）及びエンハンストセカンダリ同期信号（ｅＳＳＳ）と称してもよい。具体的には、特定区間の第１シンボル（先頭シンボル）にｅＰＳＳが配置されており、特定区間の第２シンボルにｅＳＳＳが配置されている。
【００９１】
このような特別な下りリンクサブフレームの構成例１によれば、下りリンクの同期の確立を円滑化することができる。
【００９２】
図１０に示すように、構成例２において、特別な下りリンクサブフレームは、下りリンク同期信号及びヘッダ信号が特定区間の全体（全帯域）に亘って配置されている。具体的には、特定区間の第１シンボル（先頭シンボル）にエンハンストプライマリ同期信号（ｅＰＳＳ）が配置されており、特定区間の第２シンボルにヘッダ信号が配置されている。ヘッダ信号は、制御信号に相当するスケジューリング情報を含む。また、ヘッダ信号は、割り当てＭＣＳや、割り当てＵＥ数、割り当て期間、送信電力情報等の情報を含んでもよい。
【００９３】
このような特別な下りリンクサブフレームの構成例２によれば、下りリンクの同期の確立を円滑化することができるとともに、下りリンクのデータ伝送を円滑化することができる。具体的には、ＵＥ１００の受信部１１０は、特定区間のｅＰＳＳに基づき同期をとるとともに、特定区間のヘッダ信号を復号することにより、データの割り当てを知ることができる。
【００９４】
或いは、下りリンク同期信号及びヘッダ信号に代えて、下りリンクブロードキャスト信号を配置してもよい。下りリンクブロードキャスト信号は、例えばシステム情報ブロック（ＳＩＢ）である。
【００９５】
図９及び図１０の何れにおいても、ＰＤＳＣＨ区間の構造（フォーマット）が通常のサブフレームのＰＤＳＣＨ区間の構造と同じであることに留意すべきである。これにより、既存のＰＤＳＣＨ構造を維持しながら、特定区間を有効活用することができる。
【００９６】
（第２実施形態のまとめ）
第２実施形態において、ｅＮＢ２００は、アンライセンスドバンドにおいて特別な下りリンクサブフレームを使用する。特別な下りリンクサブフレームは、制御信号とは異なる特定の下りリンク無線信号が特定区間に配置されたサブフレームである。これにより、特定区間の電力が高くなるため、他のｅＮＢ又は他のシステムは、ＬＢＴ手順により、ｅＮＢ２００が使用している周波数チャネルを空きチャネルと判断しない。その結果、ｅＮＢ２００が当該周波数チャネルの使用を継続することが可能になり、ＬＴＥ通信を適切に行うことができる。また、既存のＰＤＳＣＨ構造を維持しながら、特定区間を有効活用することができる。
【００９７】
［第３実施形態］
（第３実施形態の概要）
第３実施形態に係る基地局は、制御信号が配置されるＰＤＣＣＨ区間とデータが配置されるＰＤＳＣＨ区間とを含む下りリンクサブフレームが規定された移動通信システムにおいて用いられる。前記基地局は、アンライセンスドバンドにおいて、特別な下りリンクサブフレームを使用して、少なくとも前記制御信号及び前記データを送信する送信部を備える。前記特別な下りリンクサブフレームは、前記制御信号及び特定の下りリンク無線信号が前記ＰＤＣＣＨ区間において共存するサブフレームである。前記特定の下りリンク無線信号は、下りリンク同期信号、下りリンクブロードキャスト信号、及びヘッダ信号のうち少なくとも１つである。
【００９８】
第３実施形態において、前記ヘッダ信号は、前記制御信号に相当するスケジューリング情報を含む信号である。
【００９９】
第３実施形態において、前記特別な下りリンクサブフレームの前記ＰＤＣＣＨ区間のうち一部のシンボル区間に、前記特定の下りリンク無線信号が配置される。前記特定の下りリンク無線信号は、前記一部のシンボル区間の全周波数帯域に亘って配置される。
【０１００】
第３実施形態において、前記特別な下りリンクサブフレームの前記ＰＤＣＣＨ区間のうち少なくとも一部のシンボル区間に、前記特定の下りリンク無線信号が配置される。前記少なくとも一部のシンボル区間において、前記制御信号及び前記特定の下りリンク無線信号が周波数分割で配置される。
【０１０１】
第３実施形態において、前記少なくとも一部のシンボル区間において、前記特定の下りリンク無線信号は、前記制御信号が配置されない空き領域に配置される。
【０１０２】
第３実施形態において、前記少なくとも一部のシンボル区間において、前記特定の下りリンク無線信号が配置される周波数帯域が規定されており、前記制御信号は、前記特定の下りリンク無線信号が配置されない空き領域に配置される。
【０１０３】
第３実施形態において、前記特別な下りリンクサブフレームの前記ＰＤＣＣＨ区間において、前記制御信号に代えて、前記制御信号に相当するスケジューリング情報を含むヘッダ信号が配置される。
【０１０４】
以下において、第３実施形態について、第１実施形態及び第２実施形態との相違点を主として説明する。第３実施形態は、アンライセンスドバンドにおいて特別な下りリンクサブフレームを使用する点で上述した実施形態と同様である。しかしながら、第３実施形態は、クロスキャリアスケジューリングを前提としない点で上述した実施形態とは異なる。
【０１０５】
（第３実施形態に係る動作）
以下において、アンライセンスドバンドにおいてＬＴＥ通信を適切に行うためのｅＮＢ２００の動作について説明する。
【０１０６】
第３実施形態に係るｅＮＢ２００は、制御信号が配置されるＰＤＣＣＨ区間とデータが配置されるＰＤＳＣＨ区間とを含む下りリンクサブフレームが規定されたＬＴＥシステムにおいて用いられる。
【０１０７】
ｅＮＢ２００の送信部２１０は、アンライセンスドバンドにおいて、特別な下りリンクサブフレームを使用して、少なくとも制御信号及びデータを送信する。特別な下りリンクサブフレームは、制御信号及び特定の下りリンク無線信号がＰＤＣＣＨ区間において共存するサブフレームである。特定の下りリンク無線信号は、制御信号とは異なる信号である。特定の下りリンク無線信号は、下りリンク同期信号、下りリンクブロードキャスト信号、ヘッダ信号のうち少なくとも１つである。
【０１０８】
図１１は、第３実施形態に係る特別な下りリンクサブフレームの構成例１を示す図である。図１２は、第３実施形態に係る特別な下りリンクサブフレームの構成例２を示す図である。図１３は、第３実施形態に係る特別な下りリンクサブフレームの構成例３を示す図である。図１４は、第３実施形態に係る特別な下りリンクサブフレームの構成例４を示す図である。ＰＤＣＣＨ区間が２シンボル分のシンボル長である一例を図示しているが、ＰＤＣＣＨ区間は１乃至３シンボル長の範囲内で変更可能である。
【０１０９】
図１１に示すように、構成例１において、特別な下りリンクサブフレームのＰＤＣＣＨ区間のうち一部のシンボル区間に、ｅＰＳＳ（特定の下りリンク無線信号）が配置される。ｅＰＳＳは、当該一部のシンボル区間の全周波数帯域に亘って配置される。具体的には、ＰＤＣＣＨ区間の第１シンボル（先頭シンボル）にｅＰＳＳ（下りリンク同期信号）が配置されており、ＰＤＣＣＨ区間の第２シンボルに制御信号が配置されている。制御信号は周波数方向に分散したリソースエレメントに配置されるため、第２シンボルの区間に空き領域が生じている。この空き領域には、第２実施形態で説明したダミー信号を配置してもよい。
【０１１０】
図１２に示すように、構成例２において、特別な下りリンクサブフレームのＰＤＣＣＨ区間のうち一部のシンボル区間に、ｅＰＳＳ（特定の下りリンク無線信号）が配置される。具体的には、ＰＤＣＣＨ区間の第１シンボル（先頭シンボル）において、制御信号が配置されていない空き領域にｅＰＳＳが配置される。ＰＤＣＣＨ区間の第２シンボルには制御信号のみが配置されている。制御信号は周波数方向に分散したリソースエレメントに配置されるため、第２シンボルの区間に空き領域が生じている。この空き領域には、第２実施形態で説明したダミー信号を配置してもよい。
【０１１１】
図１３に示すように、構成例３において、特別な下りリンクサブフレームのＰＤＣＣＨ区間のうち一部のシンボル区間（第１シンボルの区間）に、ＳＳ（特定の下りリンク無線信号）が配置される。ＳＳとは、例えばプライマリ同期信号である。当該一部のシンボル区間（第１シンボルの区間）において、制御信号及びＳＳが周波数分割で配置されている。また、当該一部のシンボル区間（第１シンボルの区間）において、ＳＳが配置される周波数帯域が規定されている。例えば、ＳＳは、ＰＤＣＣＨ区間の第１シンボル（先頭シンボル）において、周波数方向の中央部分に配置される。制御信号は、ＳＳが配置されない空き領域に配置される。ＳＳ（ＳＹＮＣ）を割り当てていない部分だけをＰＤＣＣＨの割り当て候補位置としてもよいし、ＳＹＮＣを考慮せずにＰＤＣＣＨ割り当てをした後にＳＹＮＣで上書きしてもよい。制御信号は周波数方向に分散したリソースエレメントに配置されるため、第１及び第２シンボルの区間に空き領域が生じている。この空き領域には、第２実施形態で説明したダミー信号を配置してもよい。
【０１１２】
図１４に示すように、構成例４において、特別な下りリンクサブフレームのＰＤＣＣＨ区間のうち一部のシンボル区間（第１シンボルの区間）において、制御信号及び特定の下りリンク無線信号（ＳＳ、ブロードキャスト信号）が周波数分割で配置されている。具体的には、ＳＳは、ＰＤＣＣＨ区間の第１シンボル（先頭シンボル）において、周波数方向の中央部分に配置される。ブロードキャスト信号は、周波数方向においてＳＳの外側に配置される。制御信号は、周波数方向においてブロードキャスト信号の外側に配置される。ＰＤＣＣＨ区間のうち第２シンボルの区間には、ヘッダ信号が全周波数帯域に亘って配置される。
【０１１３】
特別な下りリンクサブフレームの構成例１乃至３によれば、下りリンクの同期の確立を円滑化することができるとともに、下りリンクのデータ伝送を円滑化することができる。具体的には、ＵＥ１００の受信部１１０は、ＰＤＣＣＨ区間の下りリンク同期信号に基づき同期をとるとともに、ＰＤＣＣＨ区間の制御信号（及びヘッダ信号）を復号することにより、データの割り当てを知ることができる。
【０１１４】
（第３実施形態のまとめ）
第３実施形態において、ｅＮＢ２００は、アンライセンスドバンドにおいて特別な下りリンクサブフレームを使用する。特別な下りリンクサブフレームは、制御信号及び特定の下りリンク無線信号がＰＤＣＣＨ区間において共存するサブフレームである。特定の下りリンク無線信号は、下りリンク同期信号を含む。特定の下りリンク無線信号をＰＤＣＣＨ区間に配置することにより、ＰＤＣＣＨ区間の電力が高くなるため、他のｅＮＢ又は他のシステムは、ＬＢＴ手順により、ｅＮＢ２００が使用している周波数チャネルを空きチャネルと判断しない。その結果、ｅＮＢ２００が当該周波数チャネルの使用を継続することが可能になり、ＬＴＥ通信を適切に行うことができる。また、下りリンクの同期の確立を円滑化することができるとともに、下りリンクのデータ伝送を円滑化することができる。
【０１１５】
（第３実施形態の変更例）
図１５は、第３実施形態の変更例に係る特別な下りリンクサブフレームの構成例を示す図である。図１５に示すように、特別な下りリンクサブフレームのＰＤＣＣＨ区間において、制御信号に代えて、制御信号に相当するスケジューリング情報を含むヘッダ信号を配置してもよい。本構成例において、特別な下りリンクサブフレームのＰＤＣＣＨ区間のうち第１シンボルの区間において、周波数方向の中央部分にＳＳが配置される。ブロードキャスト信号は、周波数方向においてＳＳの外側に配置される。ＰＤＣＣＨ区間のうち第２シンボルの区間には、ヘッダ信号が全周波数帯域に亘って配置される。
【０１１６】
［第４実施形態］
（第４実施形態の概要）
第４実施形態に係る基地局は、下り同期信号に、オペレータ情報を含めて送信する処理を行う制御部を備える。
【０１１７】
（第４実施形態に係る動作）
ｅＮＢ２００は、下り同期信号（ＰＳＳ（プライマリ同期信号）又はＳＳＳ（セカンダリ同期信号））に、オペレータ情報（オペレータＩＤ等）を含めて送信する。なお、オペレータ情報は、一例として、ｅＮＢ２００を管理するオペレータであってもよい。
【０１１８】
具体的には、ｅＮＢ２００は、既存の下り同期信号のパターン数を維持しつつ、セルの識別情報（セルＩＤ）のパターン数を既存のセル識別情報より小さくすることによって空いた下り同期信号のエリアに、オペレータ情報を含めてもよい。なお、ｅＮＢ２００は、下り同期信号の系列のパターンによって、情報（例えばセルＩＤ）を送信してもよい。例えば、ｅＮＢ２００は、ＰＳＳの３パターン、ＳＳＳの１６８パターンを掛け合わせて５０４パターンのセルＩＤを送信することができてもよい。また、ｅＮＢ２００は、ＰＳＳをオペレータ情報として利用するか若しくはＳＳＳの一部をオペレータ情報として利用することとしてもよい。または、ｅＮＢ２００は、下り同期信号のパターン数を既存のパターン数から変更する（具体的には、オペレータ情報の分だけ下り同期信号のパターン数を大きくする）ことによって、追加されたエリアにオペレータ情報を含めてもよい。
【０１１９】
また、ｅＮＢ２００が管理する一のセルは、自セル向けのデータ並びに他セル向けのデータ及び／又は対象を限定しないデータをビット単位で多重化して送信してもよい。ここで、自セル向けのデータは、自セル（又は自セル内に位置するＵＥ１００）が復号することが可能なデータであってもよく、言い換えれば、他セル（又は他セル内に位置するＵＥ１００）が復号することが可能なデータであってもよい。なお、自セル向けのデータは、一例として、自セルが送信するｅＰＤＣＣＨの位置（スロット及び／又はサブフレームの位置等）を示す情報及び／又はサブフレーム番号（０〜３９）を含んでもよい。また、他セル向けのデータは、自セルの負荷情報（ロード情報）であってもよい。
【０１２０】
ｅＮＢ２００は、ＤＲＳとＨｅａｄｅｒの送信タイミングが重なった場合には、いずれか１つ（ＤＲＳ又はＨｅａｄｅｒ）を送信してもよい。これは、［付記３］で説明するように、ＤＲＳとＨｅａｄｅｒの構成を同一にした場合に適用してもよい。
【０１２１】
なお、第４実施形態は、他の実施形態にも適用してもよい。
【０１２２】
［第５実施形態］
（第５実施形態の概要）
第５実施形態に係る基地局は、下りリンクの一のサブフレームにおいて、ＤＲＳ（Ｄｉｓｃｏｖｅｒｙ  Ｒｅｆｅｒｅｎｃｅｓｉｇｎａｌ：ディスカバリー参照信号）を複数回送信する制御部を備える。
【０１２３】
第５実施形態において、前記制御部は、前記一のサブフレームにおける複数のスロットの各スロットで一つのＤＲＳを送信する。
【０１２４】
第５実施形態において、前記各スロットにより送信されたＤＲＳに含まれるＳＳＳ（セカンダリ同期信号）の系列は、いずれのスロットにより送信されたＤＲＳかをユーザ端末が識別可能に構成される。
【０１２５】
第５実施形態において、前記制御部は、前記一のサブフレーム内において、前記ＤＲＳを繰り返し送信した回数が所定回数以上になると、送信するＤＲＳがいずれのシンボルによる送信であるかを示す情報を送信する。
【０１２６】
第５実施形態において、前記送信するＤＲＳがいずれのシンボルによる送信であるかを示す情報は、前記繰り返し送信した回数に関する情報、シンボル番号及びＳＦＮ（Ｓｙｓｔｅｍ  Ｆｒａｍｅ  Ｎｕｍｂｅｒ）のうち少なくともいずれか一つを含む。
【０１２７】
（第５実施形態に係る動作）
図１６は、第５実施形態に係るｅＮＢ２００が送信するＤＲＳを示す図である。なお、一例として、１サブフレーム（Ｓｕｂｆｒａｍｅ）は２スロット（ｓｌｏｔ０及びｓｌｏｔ１）からなり、１スロットは、６シンボル（ＯＦＤＭ  ｓｙｍｂｏｌ）からなる。
【０１２８】
ｅＮＢ２００は、下りリンクのサブフレームを使用して、ＤＲＳを送信する。一例として、ｅＮＢ２００は、一サブフレーム（Ｓｕｂｆｒａｍｅ１）において、ＤＲＳを複数回（例えば、二回）送信する。一例として、ｅＮＢ２００は、一サブフレーム内のスロット（ｓｌｏｔ０及びｓｌｏｔ１）ごとに一つのＤＲＳを送信する。なお、一例として、ＤＲＳは、アンライセンスドバンドにおいて、無線リソース管理（ＲＲＭ）測定に用いるための参照信号である。また、一例として、ＤＲＳは、４シンボルからなり、各スロットの０〜３シンボルに含めて送信される。なお、ＤＲＳは、各スロットの０〜３シンボル以外のシンボルに含めて送信されてもよい。また、１スロットにおいて、ＤＲＳが含まれたシンボル以外のシンボルには、ＰＢＣＨ及び／又はＰＤＳＣＨが含められてもよい。
【０１２９】
また、ＤＲＳは、４シンボル未満であってもよく、この場合、ｅＮＢ２００は、１つのスロットに、２つ以上のＤＲＳを含めて送信してもよい。
【０１３０】
ＵＥ１００は、ｅＮＢ２００からスロットごとに送信されるＤＲＳに含まれるＳＳＳ（セカンダリ同期信号）の系列によって、どのスロット（ｓｌｏｔ０又はｓｌｏｔ１）によって送信されたＤＲＳかを判別してもよい。
【０１３１】
ｅＮＢ２００は、一サブフレーム内において、ＤＲＳ（同一のＤＲＳ）を繰り返し送信した回数（繰り返し回数）が３回以上になった場合、送信するＤＲＳがいずれのシンボルによる送信であるかを示す情報を、ＵＥ１００へ送信してもよい。ここで、ｅＮＢ２００は、送信するＤＲＳがいずれのシンボルによる送信であるかを示す情報を、ＲＲＣメッセージのＤＭＴＣ（Ｄｉｓｃｏｖｅｒｙ  ｓｉｇｎａｌｓ  Ｍｅａｓｕｒｅｍｅｎｔ  ｔｉｍｉｎｇ  Ｃｏｎｆｉｇｕｒａｔｉｏｎ）を拡張したメッセージに含めて送信してもよい。なお、送信するＤＲＳがいずれのシンボルによる送信であるかを示す情報は、繰り返し回数、シンボル番号（ＤＲＳが送信されるシンボルの番号であって、例えば、０〜３シンボル等）及びＤＲＳが送信されるシステムフレーム番号（ＳＦＮ：Ｓｙｓｔｅｍ  Ｆｒａｍｅ  Ｎｕｍｂｅｒ）のうち少なくともいずれか一つを含む。繰り返し回数は、一のサブフレーム内においてＤＲＳを繰り返し送信した回数であって、他のサブフレームにおいて送信した回数は含まれなくてもよい。
【０１３２】
第５実施形態によって、ＵＥ１００がＬＢＴ（Ｌｉｓｔｅｎ  Ｂｅｆｏｒｅ  Ｔａｌｋ）をする機会が増加し、ｅＮＢ２００とＵＥ１００との同期精度を高めることができる。
【０１３３】
［第６実施形態］
（第６実施形態の概要）
第６の特徴に係る基地局は、アンライセンスドバンドにおいてセルフスケジューリングを行う制御部を備える。前記制御部は、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を用いてスケジューリング情報をユーザ端末に送信する。
【０１３４】
第６実施形態に係る基地局は、複数のｅＰＤＣＣＨ（ｅｎｈａｎｃｅｄ  ＰＤＣＣＨ）の位置を示すヘッダを送信し、当該複数のｅＰＤＣＣＨの位置に沿って前記複数のｅＰＤＣＣＨを送信する処理を行う制御部を備える。
【０１３５】
第６実施形態に係る基地局は、一のｅＰＤＣＣＨの位置を示すヘッダを送信し、当該一のｅＰＤＤＣＨの位置に沿って前記一のｅＰＤＤＣＨを送信した後、その後に続く他のｅＰＤＣＣＨを所定の規則性に沿って送信する処理を行う制御部を備える。
【０１３６】
（第６実施形態に係る動作）
図１７は、第６実施形態に係るｅＮＢ２００によるｅＰＤＣＣＨの送信を示す図である。
【０１３７】
なお、ｅＰＤＣＣＨとは、一例として、ＬＡＡにおけるスケジューリングに用いられるものである。なお、ｅＮＢ２００は、図１７に示すｅＰＤＣＣＨ５０まで送信することに限られる訳ではなく、ｅＰＤＣＣＨ５０に引き続いてさらに送信してもよい。
【０１３８】
ｅＮＢ２００は、まず、所定のサブフレームにおいて、Ｈｅａｄｅｒ（又はＩｎｉｔｉａｌ  Ｓｉｇｎａｌ）１０を送信する。
【０１３９】
このＨｅａｄｅｒ（又はＩｎｉｔｉａｌ  Ｓｉｇｎａｌ）１０は、一例として、ｅＮＢ２００とＵＥ１００とが同期を取るためのものであって、ｅＰＤＣＣＨがどこまで続けて送信されるかを示す情報、セル番号（セルＩＤ）及び／又はオペレータ番号（オペレータＩＤ）を含むものであってもよい。
【０１４０】
このＨｅａｄｅｒ（Ｉｎｉｔｉａｌ  Ｓｉｇｎａｌ）１０は、ｅＮＢ２００がＨｅａｄｅｒ１０に続いて送信するｅＰＤＣＣＨ２０の位置を示す情報を含んでもよい。ここで、送信するｅＰＤＣＣＨ２０の位置を示す情報とは、例えば、サブフレームの位置及び／又はリソースブロックの位置等である。ｅＮＢ２００は、Ｈｅａｄｅｒ１０に含まれるｅＰＤＣＣＨ２０の位置に沿ってｅＰＤＣＣＨ２０を送信した後、ｅＰＤＣＣＨ３０、４０及び５０を、所定の規則性により送信してもよい。
【０１４１】
図１７は、その規則性に沿ってｅＰＤＣＣＨ２０に引き続き送信されたｅＰＤＣＣＨ３０、４０及び５０の一例を示す。
【０１４２】
ここで、所定の規則性とは、例えば、ｅＮＢ２００が、ｅＰＤＤＣＨ２０を送信後、所定のリソースブロック（ＲＢ）分だけずらして、次のｅＰＤＣＣＨ３０を送信することであってもよい。また、所定の規則性とは、所定の計算式で求められるものであってもよい。なお、この規則性は、ＵＥ１００及びｅＮＢ２００で予め設定されていてもよいし、ｅＮＢ２００が設定したものをＵＥ１００に通知してもよい。
【０１４３】
一方で、Ｈｅａｄｅｒ（Ｉｎｉｔｉａｌ  Ｓｉｇｎａｌ）１０は、最初のｅＰＤＣＣＨ２０だけでなく、その後のｅＰＤＣＣＨ３０、４０及び５０の位置を示す情報が含まれていてもよい。この場合には、ｅＮＢ２００は、Ｈｅａｄｅｒ（Ｉｎｉｔｉａｌ  Ｓｉｇｎａｌ）１０に含まれるｅＰＤＣＣＨ３０、４０及び５０の位置に沿って、ｅＰＤＣＣＨを送信する。従って、所定の規則性に沿ってｅＰＤＣＣＨを送信しなくてもよい。
【０１４４】
なお、ＤＲＳとＩｎｉｔｉａｌ  Ｓｉｇｎａｌとが同じ構成を有する場合、ｅＮＢ及び／又はＵＥがＩｎｉｔｉａｌ  Ｓｉｇｎａｌを送信する場合において、ＤＲＳを送信する場合と同様の効果を奏する。例えば、ＵＥは、Ｉｎｉｔｉａｌ  Ｓｉｇｎａｌによって、ＲＲＭ測定を実現する。
【０１４５】
［第７実施形態］
（第７実施形態の概要）
第７実施形態に係る基地局は、複数のオペレータ及び／又は複数の通信システムが共用する特定周波数帯においてユーザ端末との無線通信を行う。前記基地局は、前記ユーザ端末に対する下りリンク送信の開始タイミングにおいて第１の同期信号を送信し、前記開始タイミングとは異なるタイミングにおいて第２の同期信号を送信する処理を行う制御部を備える。前記制御部は、前記第１の同期信号に関連する信号構成を前記第２の同期信号に関連する信号構成と異ならせる。
【０１４６】
第７実施形態において、前記制御部は、前記第１の同期信号の信号系列を前記第２の同期信号の信号系列と異ならせてもよい。
【０１４７】
第７実施形態において、前記第１の同期信号は、第１のセカンダリ同期信号を含み、前記第２の同期信号は、第２のセカンダリ同期信号を含む。前記制御部は、前記第１のセカンダリ同期信号の信号系列を前記第２のセカンダリ同期信号の信号系列と異ならせてもよい。
【０１４８】
第７実施形態において、前記制御部は、前記第１の同期信号のリソース配置パターンを前記第２の同期信号のリソース配置パターンと異ならせてもよい。
【０１４９】
第７実施形態において、前記制御部は、周波数方向における前記第２の同期信号の数を一定数に設定し、前記周波数方向における前記第１の同期信号の数を送信帯域幅に応じた数に設定してもよい。
【０１５０】
第７実施形態において、前記制御部は、前記第１の同期信号に付随する第１の参照信号を送信し、前記第２の同期信号に付随する第２の参照信号を送信する処理を行う。前記制御部は、前記第１の参照信号のリソース配置パターン又は信号系列を前記第２の参照信号とは異ならせてもよい。
【０１５１】
第７実施形態に係るユーザ端末は、複数のオペレータ及び／又は複数の通信システムが共用する特定周波数帯において基地局との無線通信を行う。前記ユーザ端末は、前記ユーザ端末に対する下りリンク送信の開始タイミングにおいて第１の同期信号を前記基地局から受信し、前記開始タイミングとは異なるタイミングにおいて第２の同期信号を前記基地局から受信する処理を行う制御部を備える。前記第１の同期信号に関連する信号構成は、前記第２の同期信号に関連する信号構成と異なる。前記制御部は、前記信号構成の相違に基づいて前記第１の同期信号及び前記第２の同期信号を区別する。
【０１５２】
以下において、第７実施形態について、第１実施形態乃至第６実施形態との相違点を主として説明する。
【０１５３】
第７実施形態に係るｅＮＢ２００は、複数のオペレータ及び／又は複数の通信システムが共用する特定周波数帯においてＵＥ１００との無線通信を行う。第７実施形態において、特定周波数帯は、アンライセンスドバンドである。但し、特定周波数帯は、免許が必要な周波数帯（ライセンスドバンド）であって複数のオペレータ及び／又は複数の通信システムが共用する周波数帯であってもよい。
【０１５４】
ｅＮＢ２００は、ＵＥ１００に対する下りリンク送信の開始タイミングにおいて第１の同期信号を送信し、当該開始タイミングとは異なるタイミングにおいて第２の同期信号を送信する。第７実施形態において、第１の同期信号は、後述する初期信号（Ｉｎｉｔｉａｌ  Ｓｉｇｎａｌ）に含まれる同期信号である。第２の同期信号は、ＤＲＳ（Ｄｉｓｃｏｖｅｒｙ  Ｒｅｆｅｒｅｎｃｅ  Ｓｉｇｎａｌ）に含まれる同期信号である。ｅＮＢ２００は、第１の同期信号に関連する信号構成を第２の同期信号に関連する信号構成と異ならせる。
【０１５５】
第７実施形態に係るＵＥ１００は、自ＵＥ１００に対する下りリンク送信の開始タイミングにおいて第１の同期信号をｅＮＢ２００から受信し、当該開始タイミングとは異なるタイミングにおいて第２の同期信号をｅＮＢ２００から受信する。第１の同期信号に関連する信号構成は、第２の同期信号に関連する信号構成と異なる。ＵＥ１００は、そのような信号構成の相違に基づいて第１の同期信号及び第２の同期信号を区別する。
【０１５６】
（第７実施形態に係る下りリンク送信動作）
第７実施形態は、主としてＬＢＥ（Ｌｏａｄ  Ｂａｓｅｄ  Ｅｑｕｉｐｍｅｎｔ）方式のＬＢＴを想定した実施形態である。ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない。
【０１５７】
図１８は、ＬＢＥ方式のＬＢＴの一例を示すフロー図である。
【０１５８】
図１８に示すように、ｅＮＢ２００は、アンライセンスドバンド内の対象チャネルを監視し、受信信号強度（干渉電力）に基づいて対象チャネルが空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ｅＮＢ２００は、検知した電力が閾値よりも大きい状態が一定期間（例えば２０μｓ以上）持続する場合、対象チャネルが使用中（Ｂｕｓｙ）であると判定する。そうでない場合、ｅＮＢ２００は、対象チャネルが空き（Ｉｄｌｅ）であると判定し、送信を開始する（ステップＳ２）。
【０１５９】
ｅＮＢ２００は、このような初期ＣＣＡの結果、対象チャネルが使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ｅＮＢ２００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ｅＮＢ２００は、Ｎが０に達すると（ステップＳ４：Ｎｏ）、対象チャネルが空き（Ｉｄｌｅ）であると判定し、送信を開始する（ステップＳ２）。
【０１６０】
このようなＬＢＥ方式のＬＢＴの場合、ｅＮＢ２００は、サブフレーム先頭から送信を開始する場合に限らず、サブフレーム途中のシンボル区間から送信を開始し得る。
【０１６１】
図１９は、第７実施形態に係る下りリンク送信動作を説明するための図である。
【０１６２】
図１９に示すように、ｅＮＢ２００は、ＬＢＴに成功した後、下りリンク送信を開始する。図１９において、ｅＮＢ２００が、サブフレーム＃ｎの先頭シンボル区間＃１の途中でＬＢＴに成功した一例を示している。この場合、ｅＮＢ２００は、予約信号（Ｒｅｓｅｒｖａｔｉｏｎ  Ｓｉｇｎａｌ）、初期信号（Ｉｎｉｔｉａｌ  Ｓｉｇｎａｌ）、制御信号（ＰＤＣＣＨ）、及びデータ（ＰＤＳＣＨ）の順に送信を行う。
【０１６３】
予約信号（Ｒｅｓｅｒｖａｔｉｏｎ  Ｓｉｇｎａｌ）は、ＬＢＴの最後のＣＣＡ完了がシンボル区間の途中である場合に、対象チャネルに他装置が割り込まないように、次のシンボル区間の開始時点まで対象チャネルを占有するための信号である。予約信号は、例えば初期信号のサイクリックプリフィックス（ＣＰ）として使用されてもよい。
【０１６４】
初期信号（Ｉｎｉｔｉａｌ  Ｓｉｇｎａｌ）は、ＵＥ１００への下りリンク送信開始タイミングを通知するための信号である。図１９において、初期信号が２つのシンボル区間の時間長を有する一例を示している。但し、初期信号は、１つのシンボル区間の時間長であってもよい。初期信号は、第１の同期信号を含む。第１の同期信号は、プライマリ同期信号（ＰＳＳ）及びセカンダリ同期信号（ＳＳＳ）を含む。ｅＮＢ２００は、ＵＥ１００に対する下りリンク送信の開始タイミング（シンボル区間＃２及び＃３）において第１の同期信号を送信する。
【０１６５】
一方で、ｅＮＢ２００は、上述したようなＤＲＳを送信する。ＤＲＳは、同期の確立及び下りリンク測定に用いられる信号である。ＤＲＳは、ＵＥ１００が下りリンクの同期の確立に用いる第２の同期信号を含む。第２の同期信号は、ＰＳＳ及びＳＳＳを含む。また、ＤＲＳは、ＵＥ１００が下りリンク測定に用いるセル固有参照信号（ＣＲＳ）を含む。第２の同期信号には、一般的な同期信号が適用されてもよい。具体的には、第２の同期信号は、下りリンク送信周波数帯の中央部分に位置するリソースブロックに配置される。また、第２の同期信号は、予め規定されたサブフレームに配置される。或いは、第２の同期信号は、任意のサブフレームに配置されてもよい。この場合、ＤＲＳは、第２の同期信号が配置されるサブフレーム番号の情報を含んでもよい。
【０１６６】
（初期信号とＤＲＳとを区別する方法）
上述したように、初期信号及びＤＲＳは何れも同期信号（ＰＳＳ／ＳＳＳ）を含む。しかしながら、初期信号に含まれる第１の同期信号とＤＲＳに含まれる第２の同期信号とで信号構成が同じである場合、同期信号を受信したＵＥ１００は、当該同期信号が初期信号及びＤＲＳの何れに該当するのか区別することができない。ＵＥ１００が初期信号を認識することができない場合、ＵＥ１００は、自身への下りリンク送信タイミングを適切に認識することができない。
【０１６７】
そこで、第７実施形態に係るｅＮＢ２００は、初期信号に含まれる第１の同期信号に関連する信号構成を、ＤＲＳに含まれる第２の同期信号に関連する信号構成と異ならせる。ＵＥ１００は、そのような信号構成の相違に基づいて第１の同期信号及び第２の同期信号を区別する。これにより、ＵＥ１００は、自身への下りリンク送信タイミングを適切に認識することができる。
【０１６８】
（１）第１の方法
先ず、初期信号（第１の同期信号）とＤＲＳ（第２の同期信号）とを区別するための第１の方法について説明する。
【０１６９】
第１の方法において、ｅＮＢ２００は、第１の同期信号の信号系列を第２の同期信号の信号系列と異ならせる。例えば、ｅＮＢ２００は、第１の同期信号に含まれるＳＳＳ（第１のＳＳＳ）の信号系列を、第２の同期信号に含まれるＳＳＳ（第２のＳＳＳ）の信号系列と異ならせる。第１のＳＳＳとして用いることができる信号系列と第２のＳＳＳとして用いることができる信号系列とが予め規定されていてもよい。ＵＥ１００は、ＳＳＳを受信すると、受信したＳＳＳの信号系列に基づいて、当該ＳＳＳを含む信号が初期信号及びＤＲＳの何れに該当するか区別する。
【０１７０】
（２）第２の方法
次に、初期信号（第１の同期信号）とＤＲＳ（第２の同期信号）とを区別するための第２の方法について説明する。
【０１７１】
第２の方法において、ｅＮＢ２００は、第１の同期信号のリソース配置パターンを第２の同期信号のリソース配置パターンと異ならせる。図２０は、第２の方法を説明するための図である。図２０に示すように、ＤＲＳ（第２の同期信号）は、ＰＳＳのシンボル区間の後にＳＳＳのシンボル区間が設けられる。これに対し、初期信号（第１の同期信号）は、ＳＳＳのシンボル区間の後にＰＳＳのシンボル区間が設けられる。これとは逆に、ＤＲＳ（第２の同期信号）はＳＳＳのシンボル区間の後にＰＳＳのシンボル区間が設けられ、初期信号（第１の同期信号）はＰＳＳのシンボル区間の後にＳＳＳのシンボル区間が設けられるとしてもよい。ＵＥ１００は、ＰＳＳ及びＳＳＳを受信すると、時間方向におけるＰＳＳ及びＳＳＳの位置関係に基づいて、受信したＰＳＳ及びＳＳＳを含む信号が初期信号及びＤＲＳの何れに該当するか区別する。
【０１７２】
また、第１の同期信号及び第２の同期信号について時間方向のリソース配置パターンを異ならせることに代えて、周波数方向のリソース配置パターンを異ならせてもよい。例えば、第１の同期信号及び第２の同期信号について周波数軸上の位置（配置）を異ならせる。
【０１７３】
（３）第３の方法
次に、初期信号（第１の同期信号）とＤＲＳ（第２の同期信号）とを区別するための第３の方法について説明する。
【０１７４】
第３の方法において、ｅＮＢ２００は、第１の同期信号に付随する第１の参照信号を送信し、第２の同期信号に付随する第２の参照信号を送信する。ｅＮＢ２００は、第１の参照信号のリソース配置パターンを第２の参照信号のリソース配置パターンと異ならせる。或いは、ｅＮＢ２００は、第１の参照信号の信号系列を第２の参照信号の信号系列と異ならせてもよい。第１の参照信号は、初期信号に含まれる参照信号であり、例えばＰＤＳＣＨの復調のためのＣＲＳ又はＤＭＲＳである。これに対し、第２の参照信号は、ＤＲＳに含まれる参照信号であり、例えば下りリンク測定（ＲＲＭ  ｍｅａｓｕｒｅｍｅｎｔ）のためのＣＲＳである。ＵＥ１００は、同期信号及びそれに付随する参照信号を受信すると、参照信号のリソース配置（リソースマッピング）パターン又は信号系列に基づいて、受信した同期信号を含む信号が初期信号及びＤＲＳの何れに該当するか区別する。
【０１７５】
（同期信号と送信帯域幅との関係）
以下において、同期信号と送信帯域幅との関係について説明する。
【０１７６】
ＤＲＳについては、ｅＮＢ２００は、周波数方向における第２の同期信号の数を一定数に設定する。図２１は、第２の同期信号の一例を示す図である。図２１に示すように、ｅＮＢ２００は、第２の同期信号（ＰＳＳ／ＳＳＳ）を、下りリンク送信周波数帯の中央部分にのみ配置する。
【０１７７】
これに対し、初期信号については、ｅＮＢ２００は、周波数方向における第１の同期信号の数を下りリンク送信周波数帯の帯域幅（下りリンク送信帯域幅）に応じた数に設定する。具体的には、ｅＮＢ２００は、下りリンク送信帯域幅が広いほど、周波数方向における第１の同期信号の数を増やす。これにより、下りリンク送信周波数帯を全体的に初期信号（第１の同期信号）が占有可能となる。よって、初期信号の期間において、下りリンク送信周波数帯の一部に他装置が割り込むことを回避することができる。なお、ＵＥ１００は、周波数方向に複数配置された同期信号を受信した場合、これらの同期信号を含む信号が初期信号に該当すると認識してもよい。
【０１７８】
図２２は、第１の同期信号の一例を示す図である。図２２に示すように、ｅＮＢ２００は、下りリンク送信帯域幅が広いほど、周波数方向における第１の同期信号の数を増やす。例えば、ｅＮＢ２００は、下りリンク送信帯域幅が１．４ＭＨｚである場合、周波数方向に１個の同期信号（ＰＳＳ／ＳＳＳ）を配置する。ｅＮＢ２００は、下りリンク送信帯域幅が３．０ＭＨｚである場合、周波数方向に２個の同期信号（ＰＳＳ／ＳＳＳ）を配置する。ｅＮＢ２００は、下りリンク送信帯域幅が５．０ＭＨｚである場合、周波数方向に３個の同期信号（ＰＳＳ／ＳＳＳ）を配置する。ｅＮＢ２００は、下りリンク送信帯域幅が１０ＭＨｚである場合、周波数方向に８個の同期信号（ＰＳＳ／ＳＳＳ）を配置する。ｅＮＢ２００は、下りリンク送信帯域幅が２０ＭＨｚである場合、周波数方向に１６個の同期信号（ＰＳＳ／ＳＳＳ）を配置する。
【０１７９】
なお、ｅＮＢ２００は、下りリンク送信帯域幅のうち第１の同期信号が配置されない空きリソース（空きリソースエレメント）が生じた場合、空きリソースに制御情報を配置してもよいし、空きリソースに何も配置しない（ブランク）としてもよい。
【０１８０】
（第７実施形態の変更例）
第７実施形態において、ＬＢＥ方式のＬＢＴについて説明したが、ＦＢＥ方式のＬＢＴであってもよい。
【０１８１】
また、第７実施形態において、初期信号とデータとが同じサブフレームにおいて送信される一例を説明した。しかしながら、図２３に示すように、初期信号は、データ（ＰＤＳＣＨ）が送信されるサブフレームとは異なるサブフレームにおいて送信されてもよい。
【０１８２】
［第８実施形態］
（第８実施形態の概要）
第８実施形態に係る無線通信装置は、複数のオペレータ及び／又は複数の通信システムが共用する特定周波数帯において無線通信を行う。前記無線通信装置は、複数のサブフレームにわたって前記無線通信を行う場合、前記複数のサブフレームのうちの対象サブフレームにおいてサブフレーム数情報を送信する処理を行う制御部を備える。前記サブフレーム数情報は、前記複数のサブフレームのうち前記対象サブフレーム以降のサブフレームの数に関する情報である。
【０１８３】
第８実施形態において、前記制御部は、連続する複数のサブフレームからなる送信期間にわたって送信を行う場合、前記連続する複数のサブフレームのうち前記対象サブフレームにおいて前記サブフレーム数情報を送信する処理を行う。
【０１８４】
第８実施形態において、前記サブフレーム数情報は、残りの送信期間に相当するサブフレームの数を示す。
【０１８５】
第８実施形態において、前記制御部は、前記連続する複数のサブフレームからなる前記送信期間にわたって送信を行った後、少なくとも１つのサブフレームからなる受信期間にわたって受信を行う場合、前記連続する複数のサブフレームのうちの前記対象サブフレームにおいて前記サブフレーム数情報を送信する処理を行う。
【０１８６】
第８実施形態において、前記サブフレーム数情報は、前記受信期間が開始するまでのサブフレームの数を示す。
【０１８７】
第８実施形態において、前記サブフレーム数情報は、前記受信期間が終了するまでのサブフレームの数を示す。
【０１８８】
第８実施形態において、前記制御部は、前記送信期間と前記受信期間との間に時間間隔が存在する場合、前記時間間隔を示す情報をさらに送信する処理を行う。
【０１８９】
第８実施形態において、前記対象サブフレームは、前記連続する複数のサブフレームのうち最初のサブフレームを含む。
【０１９０】
第８実施形態において、前記対象サブフレームは、前記連続する複数のサブフレームのうち最初のサブフレーム以外のサブフレームを含む。
【０１９１】
第８実施形態に係る無線通信装置は、複数のオペレータ及び／又は複数の通信システムが共用する特定周波数帯において無線通信を行う。前記無線通信装置は、複数のサブフレームにわたって他の無線通信装置が前記特定周波数帯において無線通信を行う場合、前記複数のサブフレームのうちの対象サブフレームにおいて前記他の無線通信装置からサブフレーム数情報を受信する処理を行う制御部を備える。前記サブフレーム数情報は、前記複数のサブフレームのうち前記対象サブフレーム以降のサブフレームの数に関する情報である。前記制御部は、前記サブフレーム数情報に基づいて、前記特定周波数帯を監視する動作を停止する。
【０１９２】
以下において、第８実施形態について、第１実施形態乃至第７実施形態との相違点を主として説明する。
【０１９３】
（第８実施形態に係る動作）
図２４は、第８実施形態に係る動作を説明するための図である。
【０１９４】
図２４（ａ）に示すように、第８実施形態に係るｅＮＢ２００は、複数のオペレータ及び／又は複数の通信システムが共用する特定周波数帯において無線通信を行う。図２４（ａ）において、ｅＮＢ２００がＵＥ１００との下りリンク通信（ＤＬ通信）を行う一例を示している。第８実施形態において、特定周波数帯は、アンライセンスドバンドである。但し、特定周波数帯は、免許が必要な周波数帯（ライセンスドバンド）であって複数のオペレータ及び／又は複数の通信システムが共用する周波数帯であってもよい。
【０１９５】
第８実施形態に係るｅＮＢ２００は、複数のサブフレームにわたって無線通信を行う場合、複数のサブフレームのうちの対象サブフレームにおいてサブフレーム数情報を送信する。サブフレーム数情報は、複数のサブフレームのうち対象サブフレーム以降のサブフレームの数に関する情報である。
【０１９６】
図２４（ｂ）に示すように、ｅＮＢ２００は、連続する複数のサブフレーム（サブフレーム＃１乃至＃３）からなる送信期間にわたって送信を行う場合、連続する複数のサブフレームのうち対象サブフレームにおいてサブフレーム数情報を送信する処理を行う。サブフレーム数情報は、残りの送信期間に相当するサブフレームの数を示す。但し、サブフレーム数情報は、少なくとも送信を継続するサブフレーム数を示す情報であってもよい。後述するようなＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）を用いてサブフレーム情報を送信する場合、送信可能なビット数が少ない（例えば２ビット）。このため、多数のサブフレームにわたって送信を継続する場合、残りの送信期間に相当する全てのサブフレームの数を表すことができない。具体的には、ＰＣＦＩＣＨに２ビットのサブフレーム情報を含めると仮定する場合、サブフレーム情報で通知可能なサブフレーム数は最大で３サブフレームである。よって、送信期間が残り２サブフレームとなるまでは、サブフレーム情報により「少なくとも３サブフレームは送信を継続する」旨を通知してもよい。
【０１９７】
第８実施形態において、対象サブフレームは、連続する複数のサブフレームのうち最初のサブフレームを含む。また、対象サブフレームは、連続する複数のサブフレームのうち最初のサブフレーム以外のサブフレームを含む。
【０１９８】
図２４（ｂ）に示す例において、ｅＮＢ２００は、最初のサブフレーム＃１において、残りの送信期間に相当するサブフレームの数「３」を示すサブフレーム情報を送信する。また、ｅＮＢ２００は、２番目のサブフレーム＃２において、残りの送信期間に相当するサブフレームの数「２」を示すサブフレーム情報を送信する。さらに、ｅＮＢ２００は、３番目のサブフレーム＃３において、残りの送信期間に相当するサブフレームの数「１」を示すサブフレーム情報を送信する。なお、上記の例では、サブフレーム情報に含まれるサブフレーム数は、送信中のサブフレームもその数に含めて算出されているが、これに限られず、送信中のサブフレームをその数に含めずに算出してもよい。
【０１９９】
第８実施形態において、ｅＮＢ２００は、連続するサブフレーム＃１乃至＃３のそれぞれにおいて、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）にサブフレーム情報を含めて送信する。ＰＣＦＩＣＨは、下りリンクのサブフレームの先頭シンボル区間に設けられる。一般的なＰＣＦＩＣＨは、ＰＤＣＣＨ区間を構成するシンボル数を示す情報を運搬する。第８実施形態において、ＰＣＦＩＣＨは、ＰＤＣＣＨ区間を構成するシンボル数の情報に代えて、サブフレーム情報を運搬する。この場合、ＰＤＣＣＨ区間を構成するシンボル数の情報を不要とするために、ＰＤＣＣＨ区間のシンボル数を１〜３の何れかに固定する。これにより、ＰＣＦＩＣＨがサブフレーム情報を運搬可能となる。
【０２００】
或いは、ＰＣＦＩＣＨは、ＰＤＣＣＨ区間を構成するシンボル数の情報に加えて、サブフレーム情報を運搬してもよい。この場合、両方の情報を含めることができるように、既存のＰＣＦＩＣＨよりも多くの情報量を持つ新たなＰＣＦＩＣＨを規定してもよい。
【０２０１】
ｅＮＢ２００は、ＰＤＣＣＨ（制御信号）にサブフレーム情報を含めて送信してもよい。ＰＤＣＣＨ領域に複数のＤＣＩを含めることが可能であるため、ＵＥ１００用のＰＤＣＣＨ（ＤＣＩ）と他装置用のＰＤＣＣＨ（ＤＣＩ）を切り分ければ、ＵＥ１００及び他装置がサブフレーム情報を受信可能である。このような個別のＤＣＩを用いることに代えて、ＵＥ１００を含む複数の装置に共通のＲＮＴＩ（例えば、ＳＩ−ＲＮＴＩ：共通情報用ＲＮＴＩ）を用いることにより、１つのＤＣＩを複数の装置に送信してもよい。
【０２０２】
或いは、ＰＤＣＣＨに代えて、ｅｎｈａｎｃｅｄ  ＰＤＣＣＨ（ｅＰＤＣＣＨ）を使用してもよい。或いは、ｅＮＢ２００は、ヘッダ信号にサブフレーム情報を含めて送信してもよい。ｅＮＢ２００は、下りリンクブロードキャスト信号にサブフレーム情報を含めて送信してもよい。
【０２０３】
ＵＥ１００は、連続するサブフレーム＃１乃至＃３のそれぞれにおいてｅＮＢ２００が送信するサブフレーム情報を受信し、サブフレーム情報に基づいてｅＮＢ２００の残りの送信期間を把握することができる。
【０２０４】
また、ｅＮＢ２００との下りリンク通信を行うＵＥ１００以外の装置もサブフレーム情報を受信する。図２４（ａ）において、アンライセンスドバンドにおいて無線通信を行う他の無線通信装置として、他装置＃１及び＃２を示している。他装置＃１及び＃２は、ｅＮＢ２００及びＵＥ１００と同じオペレータの無線通信装置である。但し、他装置＃１及び＃２は、ｅＮＢ２００及びＵＥ１００とは異なるオペレータの無線通信装置であってもよい。他装置＃１及び＃２のそれぞれは、ｅＮＢであってもよいし、ＵＥであってもよい。
【０２０５】
他装置＃１及び＃２のそれぞれは、ｅＮＢ２００からサブフレーム情報を受信し、サブフレーム数情報に基づいて、ｅＮＢ２００の残りの送信期間（すなわち、チャネル占有期間）を把握する。そして、他装置＃１及び＃２のそれぞれは、ｅＮＢ２００の残りの送信期間において、アンライセンスドバンドを監視する動作（すなわち、ＬＢＴ）を停止する。このように、ｅＮＢ２００及びＵＥ１００が下りリンク通信を継続する間は他装置＃１及び＃２がＬＢＴ（ＣＣＡ）を休止することにより、他装置＃１及び＃２の処理負荷及び消費電力を削減することができる。
【０２０６】
特に、ｅＮＢ２００は、連続する複数のサブフレーム＃１乃至＃３のうち最初のサブフレーム＃１以外のサブフレーム（サブフレーム＃２及び＃３）においてもサブフレーム情報を送信する。これにより、他装置＃１及び＃２は、最初のサブフレーム＃１においてサブフレーム情報の受信に失敗した場合でも、サブフレーム＃２及び＃３の何れか１つにおいてサブフレーム情報を受信することができる。よって、サブフレーム＃１乃至＃３のどのサブフレームのサブフレーム情報を受信しても後何サブフレーム後に解放されるかを把握することができる。なお、他装置（ＵＥ／ｅＮＢ）は、ｅＮＢ２００からサブフレーム情報を受信した後に、さらにサブフレーム情報を受信した場合には、直近で受信したサブフレーム情報に基づいて、監視期間を決定（変更）してもよい。
【０２０７】
図２５は、第８実施形態に係る動作の一例を示すシーケンス図である。ここでは、ｅＮＢ２００の送信期間（チャネル占有期間）が３サブフレームである一例を説明する。
【０２０８】
図２５に示すように、ｅＮＢ２００は、ＬＢＴに成功し（Ｓ１０１）、サブフレーム＃１においてＵＥ１００に対する送信（ＰＤＳＣＨ送信を含む）を開始する（Ｓ１０２）。ここで、ｅＮＢ２００は、残りの送信期間に相当するサブフレームの数「３」を示すサブフレーム情報を送信する。ＵＥ１００は、サブフレーム＃１においてｅＮＢ２００から制御信号及びデータを受信する。ＵＥ１００は、サブフレーム＃１においてｅＮＢ２００からサブフレーム情報を受信してもよい。また、他装置＃１は、サブフレーム＃１においてサブフレーム情報を受信する。他装置＃１は、サブフレーム情報に基づいてＬＢＴを停止する（Ｓ１０３）。
【０２０９】
次に、ｅＮＢ２００は、サブフレーム＃２においてＵＥ１００に対する送信（ＰＤＳＣＨ送信を含む）を行う（Ｓ１０４）。ここで、ｅＮＢ２００は、残りの送信期間に相当するサブフレームの数「２」を示すサブフレーム情報を送信する。ＵＥ１００は、サブフレーム＃２においてｅＮＢ２００から制御信号及びデータを受信する。ＵＥ１００は、サブフレーム＃２においてｅＮＢ２００からサブフレーム情報を受信してもよい。また、他装置＃２は、サブフレーム＃２においてサブフレーム情報を受信する。他装置＃２は、サブフレーム情報に基づいてＬＢＴを停止する（Ｓ１０５）。
【０２１０】
次に、ｅＮＢ２００は、サブフレーム＃３においてＵＥ１００に対する送信（ＰＤＳＣＨ送信を含む）を行う（Ｓ１０６）。ここで、ｅＮＢ２００は、残りの送信期間に相当するサブフレームの数「１」を示すサブフレーム情報を送信する。ＵＥ１００は、サブフレーム＃３においてｅＮＢ２００から制御信号及びデータを受信する。ＵＥ１００は、サブフレーム＃３においてｅＮＢ２００からサブフレーム情報を受信してもよい。
【０２１１】
そして、他装置＃１及び＃２のそれぞれは、サブフレーム情報に基づいて、サブフレーム＃３の経過後にＬＢＴを再開する（Ｓ１０７、Ｓ１０８）。
【０２１２】
なお、本シーケンスにおいて、ｅＮＢ２００の送信期間（チャネル占有期間）が３サブフレームである一例を説明した。しかしながら、ｅＮＢ２００は、送信を開始した後、送信期間を変更してもよい。例えば、ｅＮＢ２００は、Ｓ１０２の後に送信期間を４サブフレーム又は２サブフレームに変更してもよい。この場合、Ｓ１０４及びＳ１０６において、ｅＮＢ２００は、変更後の送信期間に基づいてサブフレーム情報を送信する。
【０２１３】
（第８実施形態の変更例）
第８実施形態の変更例１及び２において、ｅＮＢ２００は、連続する複数のサブフレームからなる送信期間（ＤＬ期間）にわたって送信を行った後、少なくとも１つのサブフレームからなる受信期間（ＵＬ期間）にわたって受信を行う。ｅＮＢ２００は、送信期間のうちの対象サブフレームにおいてサブフレーム数情報を送信する。
【０２１４】
第８実施形態の変更例１について説明する。第８実施形態の変更例１において、サブフレーム数情報は、受信期間（ＵＬ期間）が開始するまでのサブフレームの数を示す。図２６は、第８実施形態の変更例１に係る動作を説明するための図である。図２６に示すように、ｅＮＢ２００は、連続する複数のサブフレーム＃１乃至＃３からなる送信期間（ＤＬ期間）にわたってＵＥ１００に対する送信を行った後、サブフレーム＃４からなる受信期間（ＵＬ期間）にわたってＵＥ１００からの受信を行う。ｅＮＢ２００は、サブフレーム＃１乃至＃３のそれぞれにおいて、受信期間（ＵＬ期間）が開始するまでのサブフレームの数を示すサブフレーム数情報を送信する。
【０２１５】
図２６に示す例において、ｅＮＢ２００は、最初のサブフレーム＃１において、受信期間（ＵＬ期間）が開始するまでのサブフレームの数「３」を示すサブフレーム情報を送信する。また、ｅＮＢ２００は、２番目のサブフレーム＃２において、受信期間（ＵＬ期間）が開始するまでのサブフレームの数「２」を示すサブフレーム情報を送信する。さらに、ｅＮＢ２００は、３番目のサブフレーム＃３において、受信期間（ＵＬ期間）が開始するまでのサブフレームの数「１」を示すサブフレーム情報を送信する。
【０２１６】
次に、第８実施形態の変更例２について説明する。第８実施形態の変更例２において、サブフレーム数情報は、送信期間（ＤＬ期間）及び受信期間（ＵＬ期間）が終了するまでのサブフレームの数を示す。
【０２１７】
図２７は、第８実施形態の変更例２に係る動作を説明するための図である。図２７に示すように、ｅＮＢ２００は、連続する複数のサブフレーム＃１乃至＃３からなる送信期間（ＤＬ期間）にわたってＵＥ１００に対する送信を行った後、サブフレーム＃４からなる受信期間（ＵＬ期間）にわたってＵＥ１００からの受信を行う。ｅＮＢ２００は、サブフレーム＃１乃至＃３のそれぞれにおいて、受信期間（ＵＬ期間）が終了するまでのサブフレームの数（すなわち、送信期間及び受信期間の全期間）を示すサブフレーム数情報を送信する。
【０２１８】
図２７に示す例において、ｅＮＢ２００は、最初のサブフレーム＃１において、受信期間（ＵＬ期間）が終了するまでのサブフレームの数「４」を示すサブフレーム情報を送信する。また、ｅＮＢ２００は、２番目のサブフレーム＃２において、受信期間（ＵＬ期間）が終了するまでのサブフレームの数「３」を示すサブフレーム情報を送信する。さらに、ｅＮＢ２００は、３番目のサブフレーム＃３において、受信期間（ＵＬ期間）が終了するまでのサブフレームの数「２」を示すサブフレーム情報を送信する。そして、ＵＥ１００は、４番目のサブフレーム＃４において、受信期間（ＵＬ期間）が終了するまでのサブフレームの数「１」を示すサブフレーム情報を送信する（ｅＮＢ２００は、４番目のサブフレーム＃４において、受信期間（ＵＬ期間）が終了するまでのサブフレームの数「１」を示すサブフレーム情報を受信する）。なお、ＵＥ１００は、例えば、ＰＵＣCＨ又はＰＵＳCＨによりサブフレーム情報を送信してもよい。ＵＥ１００が送信したサブフレーム情報を他装置（♯１及び♯２）が受信してもよい。但し、４番目のサブフレーム＃４において、ｅＮＢ２００が、受信期間（ＵＬ期間）が終了するまでのサブフレームの数「１」を示すサブフレーム情報を送信してもよい。
【０２１９】
なお、図２６及び図２７において、送信期間（ＤＬ期間）及び受信期間（ＵＬ期間）が連続する一例を示している。しかしながら、送信期間及び受信期間が不連続であってもよい。ｅＮＢ２００は、送信期間と受信期間との間に時間間隔が存在する場合、時間間隔を示す情報をサブフレーム情報と共に送信してもよい。時間間隔は、例えばサブフレームの数で表現される。
【０２２０】
［第９実施形態］
（第９実施形態の概要）
第９実施形態に係る無線通信装置は、複数のオペレータ及び／又は複数の通信システムが共用する特定周波数帯において無線通信を行う。前記無線通信装置は、複数のシンボル区間からなるサブフレームのうち対象シンボル区間から送信を開始する場合、前記対象シンボル区間においてシンボル数情報を送信する処理を行う制御部を備える。前記シンボル数情報は、前記複数のシンボル区間のうち前記対象シンボル区間以降のシンボル区間の数に関する情報である。
【０２２１】
第９実施形態において、前記制御部は、他の無線通信装置に対する送信の開始を示す初期信号に前記シンボル数情報を含めて送信する処理を行う。前記シンボル数情報は、前記複数のシンボル区間のうちデータ送信用のシンボル区間の数に関する情報である。
【０２２２】
第９実施形態において、前記対象シンボル区間は、前記複数のシンボル区間のうち最初のシンボル区間以外のシンボル区間を含む。
【０２２３】
以下において、第９実施形態について、第１実施形態乃至第８実施形態との相違点を主として説明する。第９実施形態は、主としてＬＢＥ（Ｌｏａｄ  Ｂａｓｅｄ  Ｅｑｕｉｐｍｅｎｔ）方式のＬＢＴを想定した実施形態である。
【０２２４】
（第９実施形態に係る動作）
ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない。
【０２２５】
図２８は、ＬＢＥ方式のＬＢＴの一例を示すフロー図である。ＵＥ１００及びｅＮＢ２００は、アンライセンスドバンド内の対象チャネルについて本フローを実行する。ここでは、ｅＮＢ２００が本フローを実行する一例を説明する。
【０２２６】
図２８に示すように、ｅＮＢ２００は、対象チャネルを監視し、受信信号強度（干渉電力）に基づいて対象チャネルが空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ｅＮＢ２００は、検知した電力が閾値よりも大きい状態が一定期間（例えば２０μｓ以上）持続する場合、対象チャネルが使用中（Ｂｕｓｙ）であると判定する。そうでない場合、ｅＮＢ２００は、対象チャネルが空き（Ｉｄｌｅ）であると判定し、対象チャネルを用いてＵＥ１００に下りリンクデータを送信する（ステップＳ２）。
【０２２７】
ｅＮＢ２００は、このような初期ＣＣＡの結果、対象チャネルが使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ｅＮＢ２００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ｅＮＢ２００は、Ｎが０に達すると（ステップＳ４：Ｎｏ）、対象チャネルが空き（Ｉｄｌｅ）であると判定し、対象チャネルを用いて無線信号を送信する（ステップＳ２）。
【０２２８】
このようなＬＢＥ方式のＬＢＴの場合、ｅＮＢ２００は、サブフレーム先頭から送信を開始する場合に限らず、サブフレーム途中のシンボル区間から送信を開始し得る。図２９は、第９実施形態に係るＤＬ送信動作を説明するための図である。
【０２２９】
図２９に示すように、ｅＮＢ２００は、ＬＢＴに成功した後、ＤＬ送信を開始する。図２９において、ｅＮＢ２００が、サブフレーム＃ｎの先頭シンボル区間＃１の途中でＬＢＴに成功した一例を示している。ｅＮＢ２００は、予約信号（Ｒｅｓｅｒｖａｔｉｏｎ  Ｓｉｇｎａｌ）、初期信号（Ｉｎｉｔｉａｌ  Ｓｉｇｎａｌ）、制御信号（ＰＤＣＣＨ）、及びデータ（ＰＤＳＣＨ）の順に送信を行う。
【０２３０】
予約信号（Ｒｅｓｅｒｖａｔｉｏｎ  Ｓｉｇｎａｌ）は、ＬＢＴの最後のＣＣＡ完了がシンボル区間の途中である場合に、対象チャネルに他装置が割り込まないように、次のシンボル区間の開始時点まで対象チャネルを占有するための信号である。予約信号は、例えば初期信号のサイクリックプリフィックス（ＣＰ）として使用されてもよい。
【０２３１】
初期信号（Ｉｎｉｔｉａｌ  Ｓｉｇｎａｌ）は、ＵＥ１００へのデータ送信開始タイミングを通知するための信号である。第９実施形態において、初期信号（Ｉｎｉｔｉａｌ  Ｓｉｇｎａｌ）は、所定の制御情報及び同期信号（ＰＳＳ／ＳＳＳ）を含む。第９実施形態において、所定の制御情報は、シンボル数情報を含む。所定の制御情報は、第８実施形態で説明したサブフレーム情報を含んでもよい。
【０２３２】
第９実施形態に係るｅＮＢ２００は、複数のシンボル区間（シンボル区間＃１乃至＃１４）からなるサブフレームのうち対象シンボル区間（シンボル区間＃２及び＃３）からＵＥ１００に対する送信を開始する（すなわち、初期信号を送信する）。この場合、当該対象シンボル区間においてシンボル数情報を含む初期信号を送信する。シンボル数情報は、複数のシンボル区間（シンボル区間＃１乃至＃１４）のうち対象シンボル区間（シンボル区間＃２及び＃３）以降のシンボル区間の数に関する情報である。
【０２３３】
これにより、最初のシンボル区間以外のシンボル区間においてＵＥ１００が初期信号を受信した場合でも、ＵＥ１００は、シンボル数情報に基づいて当該サブフレームにおける残りのシンボル区間の数を把握することができる。よって、ＵＥ１００が適切なデータ受信を行うことができる。
【０２３４】
シンボル数情報は、データ送信用区間（ＰＤＳＣＨ区間）に相当するシンボル区間の数を示す情報であってもよい。図２９の例において、ｅＮＢ２００は、ＰＤＳＣＨ区間（シンボル区間＃６乃至＃１４）に相当するシンボル区間の数「９」を示すシンボル数情報を初期信号に含めてＵＥ１００に送信する。
【０２３５】
或いは、シンボル数情報は、ＰＤＣＣＨ区間及びＰＤＳＣＨ区間の合計に相当するシンボル区間の数を示す情報であってもよい。図２９の例において、ｅＮＢ２００は、ＰＤＣＣＨ区間及びＰＤＳＣＨ区間の合計（シンボル区間＃４乃至＃１４）に相当するシンボル区間の数「１１」を示すシンボル数情報を初期信号に含めてＵＥ１００に送信する。
【０２３６】
或いは、シンボル数情報は、初期信号が送信される対象シンボル区間（シンボル区間＃２及び＃３）を識別する情報であってもよい。図２９の例において、ｅＮＢ２００は、初期信号が送信される対象シンボル区間（シンボル区間＃２及び＃３）のシンボル番号を初期信号に含めてＵＥ１００に送信する。
【０２３７】
［その他の実施形態］
上述した第１実施形態乃至第９実施形態は、別個独立して実施される場合に限定されない。第１実施形態乃至第９実施形態のうち２以上の実施形態を組み合わせて実施してもよい。
【０２３８】
上述した第１実施形態乃至第９実施形態において、上りリンクの通信について特に触れなかった。しかしながら、第１実施形態乃至第９実施形態（特に、第８実施形態及び第９実施形態）に係る動作は、上りリンク通信にも適用可能である。例えば、第８実施形態及び第９実施形態において、ｅＮＢ２００をＵＥ１００と読み替え、ＵＥ１００をｅＮＢ２００と読み替えてもよい。
【０２３９】
上述した第１実施形態乃至第９実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０２４０】
上述した第１実施形態乃至第９実施形態において、移動通信システムとしてＬＴＥシステムを例示した。しかしながら、本発明はＬＴＥシステムに限定されない。ＬＴＥシステム以外のシステムに本発明を適用してもよい。
【０２４１】
以下において、第１実施形態乃至第９実施形態の補足事項について説明する。
【０２４２】
［付記1］
（はじめに）
本付記では、LAA RRM測定用の参照信号の設計を説明する。また、参照信号に対する我々のアプローチを考慮して他の機能に関しても説明する。
【０２４３】
（RRM測定用の参照信号の設計）
Rel-12のDRSはアンライセンスドバンドでのRRM測定に使用される参照信号の設計のための出発点であることが合意された。Rel-12のDRS設計に基づいて、eNBは、例外なく、一定の間隔でPSS / SSS / CRS（及びCSI-RS）を送信することが要求される。eNBは、DRSを送信するために割り当てられたライセンスドバンドのリソースを使用するので、それは問題なく達成することができる。しかし、ライセンスドバンドとは対照的に、複数の無線システム/ノードは、アンライセンスドバンドを共有することができる。アンライセンスドバンドを共有することに加えて、各システムは、衝突を回避するために一部の国/地域で必要とされるLBT (listen before talk)を使用する。DRSがアンライセンスドバンドで送信される場合、我々の見解ではLBTが必要である。
【０２４４】
1つの設計の側面は、LBTを必須の機能とすべきか否かを検討することである。LBTは、EU及び日本では必須の機能であるが、EUの規制は、信号の存在を確認するための周波数のセンシングなしでの管理及びフレーム制御フレームの送信、すなわち、Short Control Signaling Transmissionが認められている。EUの規制によると、適応型機器のShort Control Signalling Transmissionsの送信は50ミリ秒の観察期間内に最大10％のデューティサイクルを有する。DRS送信の条件を満足する場合は、上記の要件に基づいて、LTE eNBはLBTを実行せずにアンライセンスドバンドでDRSを送信することができる。しかし、他のシステムとの公正な共存を実現し、衝突を回避するのに役立つので、LBTが必須とされるべきであると考える。LBTの義務付けは、シンプルな設計と見ることができ、かつ、LAAが展開されると予想されるすべての地域のための1つの汎用ソリューションを提供することができる。
【０２４５】
提案1：RAN1は、LAAのRel-12 DRSベースのDRS送信にLBT機能を適用することに同意するべきである。
【０２４６】
提案1が合意として認められる場合、ビジーチャネルが検出された場合、LBT機能によって、eNBはアンライセンスドバンドでDRSを送信することができない（図３０を参照）。その結果、eNBがDRSの送信機会でDRSを送信しない場合、測定の精度要件が満たされないかもしれない。RSRP測定値の現在の定義によれば、UEは、ディスカバリー信号の機会として設定されたサブフレーム内のRSRPを測定しなければならない。これは、DRSが実際に送信されているか否かにかかわらず、UEが設定された無線リソースを監視しなければならず、それらのリソースの結果を最終的な測定結果に含め得ることを意味する。
【０２４７】
また、RSRPを判定するためにUEによって使用される測定周波数帯域内及び測定期間内のリソースエレメントの個数は、対応する測定精度の要件が満たされなければならない制約下でのUEの実装依存に任されている。よって、UEの実装ベースのRSRP測定とeNBのLBT機能によりDRS送信の一部が利用できないこととの組み合わせは、UEがeNBに対して正確なアンライセンスドバンドの無線環境情報を提供することができない問題を引き起こす。
【０２４８】
我々は、上記の問題はRAN4で対処しなければならないと考えている。1つのアプローチは、現在の測定精度要件が既存の仕様によって満たされるかどうかを確認する研究を行うようにRAN1が要求LSをRAN4に送ることである。現在の仕様では精度要件を満足さないケースでは、新たな解決策を検討することができる。以下に、候補の選択肢をいくつか挙げる。
【０２４９】
選択肢1：eNBによるライセンスドバンドのDRS計測インディケーションのブロードキャスト/ユニキャスト。
【０２５０】
この選択肢では、eNBは、ライセンスバンドを介して、どのサブフレームのRSRPが計算されるべきかの条件についてUEを通知する。RSRPの計算中に、UEは、eNBによって提供された、アンライセンスドバンドについてのRSRP測定条件情報に応じて、DRS測定を採用及び修正することが期待される。いつ及びどのようにeNBがUEにこの情報を提供することができるかについては更なる検討が必要である。
【０２５１】
選択肢2：LAAのための（DRSに含まれる）CRSベースのRSRP測定を定義する。
【０２５２】
この選択肢では、UEがRSRPを決定するためにDRS測定を実行する方法にいくつかの制限が適用される。例えば、UEは、1つのDRSバーストごとに測定結果を送信すべきである（図３１を参照）。eNBは、アンライセンスドバンドでどのDRSが送信されたかを認識しているので、特定のUEから受信した測定レポートの信頼性があるかどうかをeNBが判断することができる。
【０２５３】
提案2：提案1が合意として認められる場合、測定精度要件が既存の仕様によって満たされるかどうかを要求するLSをRAN1がRAN4に送るべきである。
【０２５４】
（LAAのための機能の分析）
RRM測定とは異なり、他の機能をサポートするための参照信号は前回会合で扱われていない。提案1が合意として認められる場合、LBTを伴うRel-12のDRSは、同様に他の機能のための出発点であるべきである。我々は、AGC設定、粗い同期（coarse synchronization）及びCSIの測定は、LAAのために上記のDRSを使用して行うことができると考える。これは、ベースラインソリューションである可能性がある。しかし、DRSの送信機会のいくつかでeNBがDRSを送信しない場合のための更なる検討が必要とされる。説明したように、この状況はRRM測定と同様である。
【０２５５】
一方、現在仕様化された最大DRS間隔を超えてeNBがDRSを送信できない場合、少なくとも復調用の良好な周波数/時間推定が実現されないかもしれない。既存仕様は、160ミリ秒よりも長いDRS間隔を保証するものではない。次の章でこの問題をさらに議論する。
【０２５６】
提案3：LBTを伴うRel-12のDRSに基づくLAA DRSは、AGC設定、粗い同期及びCSIの測定に使用されるべきである。
【０２５７】
（同期信号の設計）
既に述べたように、様々な国/地域ではアンライセンスドバンドでLBTベースの送信が必要とされる。よって、同じ帯域を共有する隣接ノードによる他の送信の存在によりeNBが長期間アンライセンスドバンドでDRSを送信することができないおそれがある。1つのアプローチは、2つのDRS送信の間の期間に対する固定の最大制限（例えば160ミリ秒）を設定することである。eNBがDRSを上限よりも長い時間送信できない場合は、良好な周波数/時間推定が保証されないと想定されるべきである。しかし、干渉によりUEがDRS送信のいくつかを正確に検出/復号できない可能性がある。この状況は、DRS送信に加えて、データ送信の中で別の同期信号を提供することの検討を必要とする。1つの解決策は、eNBが、データ領域の前に位置するシンボル（例えば、サブフレームの最初のシンボル）で同期信号（LAA sync）を送信することである。このアプローチは、D2D同期信号の設計に非常に似ている。その場合には、UEは、DRSを使用して粗い同期を達成し、上記LAA syncを使用して微細な周波数/時間推定を実現する。この解決策が適用される場合、LAA syncがUEで受信された最初のサブフレーム内の次のデータ領域に配置されているので、AGC設定は、DRSに代えてLAA syncに基づいて行われる。
【０２５８】
図３２は、既存のチャネルマッピング（左）/提案チャネルマッピング（右）の例を示す図である。
【０２５９】
我々は、現在の物理制御チャネル領域がLAA syncによって置換されるべきであることを提案する。物理制御チャネルを送信するために使用されるリソースエレメントの数は、例えば、サブフレームにスケジュールされたUEの数に応じて変更される。低トラフィック状況の場合には、完全に物理制御チャネル領域が占有されないことで低いリソースエレメント密度をもたらし、OFDMシンボルにわたる低い送信電力により隣接ノードによる高い誤検出をもたらす。隣接ノードはそれぞれの送信のためにチャネルが利用可能であると想定し得るので、衝突が生じる。衝突を回避するために、我々は、物理制御チャネルがアンライセンスドバンド送信から除去され、代わりにLAA syncが送信されるべきであることを提案する。LAA syncをどのようにデータ領域の直前にマッピングするかについては更なる検討が必要である。
【０２６０】
提案4：現在の物理制御チャネル領域はLAA syncに置き換えられるべきである。
【０２６１】
［付記２］
（はじめに）
同じチャネルを共有するアクセスポイントが多いほど、システムのスループット性能が低下することがよく知られている。Wi-Fi及びLAAサービス間の公正な共存のためには、Listen-before-talk（クリアチャネルアセスメント）や制限された送信期間によるキャリア上での不連続送信などの無線LANと同様の仕組みをLAAオペレーションのために導入すべきであることが提案される。よって、LAAセルがアクセスポイントと同じバンドを共有する限りは、スループット性能の低下は避けられないと想定される。
【０２６２】
一方、異なるオペレータのLAAサービス間の協調メカニズムを研究する価値がある。協調メカニズムは、複数のオペレータのLAAサービス間のチャネル選択及びチャネル共有からなる。この協調は、より良い干渉管理につながる可能性がある。本付記では、複数のLAAサービス間の緊密な協調メカニズム、特に、LTEビーコン、LTEヘッダ、及び新しいUE測定報告を提示する。
【０２６３】
（LTEビーコンの可能な機能）
LAAセルは、動作のために最も負荷の低いチャネルを（再）選択することが好ましい。この目的を達成するためには、LAAセルがアンライセンスドバンドの無線環境を認識しているべきである。アンライセンスドスペクトルの使用情報は、この情報をブロードキャストすることにより隣接するノードと共有されることを提案する。このブロードキャスト情報は、「LTEビーコン」により配信される。隣接するLAAサービスは、隣接LTEビーコンを検出し、その情報を使用してチャネルを選択し、自身のLAAパラメータを適切に設定することができる。上記の情報を受信した後、隣接eNBも同様に、自身のビーコンをブロードキャストすることができる。LTEビーコンの候補の内容の1つは、アンライセンスドスペクトルのトラフィック負荷情報、LBT失敗の数、又は使用チャネル数である。
【０２６４】
また、LTEビーコンは、1つのアンライセンスドスペクトルのCCを複数のLAAサービスにより共有するためにも使用することができる。異なるオペレータのLAAセルが時分割で同じチャネルを共有すると仮定することができる。アンライセンスドスペクトルの同期信号及び/又は参照信号の構成は、提案するLTEビーコンに設けられ、これにより密接な協調がもたらされる。LTEビーコンの送信タイミングの検討が必要とされる。我々の見解では、同期信号が送信されるのと同じサブフレームで送信されるべきである。これは、PSS/SSSと共に同じサブフレームに配置されているブロードキャストチャネル（PBCH）の概念に非常に似ている。LTEビーコンの例が図３３に示されている。全ての同期信号の送信と共にLTEビーコンが送信されるべきかについては更なる検討が必要である。
【０２６５】
提案1：アンライセンスドスペクトル使用情報は、LTEビーコンにより他のオペレータにブロードキャストされるべきである。
【０２６６】
（LTEヘッダの可能な機能）
この章では、LAAセルのリソース割り当て情報の共有がアンライセンスドスペクトルの更なる効率的な利用をもたらすことを検討する。例えば、LAAセルが他のLAAセルのデータ送信期間を認識している場合、そのeNBは、その期間中にLBTを中断することができる。よって、アンライセンスドスペクトルについてのある程度のリソース割り当て情報も同様にブロードキャストすべきかRAN1で検討すべきであることを提案する。この情報は、「LTEヘッダ」で搬送され、データバーストの先頭にあるヘッダにおいて送信されるべきである。これは、LTEヘッダが現在のRel-8のPDCCHと同様の機能を有すると仮定するものである。このヘッダは、送信するeNBによるリソース使用情報を取得するために、隣接するLAAセルによって読み取ることができる。どのようにLAAヘッダが配置されるかの例を図３４に示す。また、図３４は、提案するLAA syncも示している。LAAヘッダの位置については更なる検討が必要である。
【０２６７】
提案2：アンライセンスドスペクトルのある程度のリソース割り当て情報がヘッダ信号中でブロードキャストされるべきかをRAN1は検討すべきである。
【０２６８】
（UE測定の強化）
チャネル選択手順/スキームを設計する際に、隠れ端末問題を考慮しなければならないかをRAN1は検討すべきである。隠れ端末問題に対処するために、新たなUE測定報告メカニズムを導入することを提案する。測定報告において、UEは、現在のRRM測定結果に加えて、アンライセンスドバンドでの検出セルID及び信号電力を報告する。我々の見解では、UEは、（他のオペレータのLAAを含む）非サービングセルのDRSを検出し、それ自体でDRS RSRPを計算することができる。UEからこの報告を受けたeNBは、隠れ端末問題を軽減するために必要な適切な行動を取ることができる。
【０２６９】
提案3：新しいUE測定報告メカニズムは、UEが検出した非サービングLAAセルの情報を報告することを可能に導入されるべきである。
【０２７０】
加えて、同一のPCIが複数のオペレータによって使用される場合に潜在的な問題がある。同じPCIが、隣接するセルに割り当てられるべきではない。1つのオペレータのネットワーク内では、セル計画やSON機能によってそれを達成することができる。同じPCIが第1のオペレータの近傍に位置する他のオペレータによって使用されている場合、問題が残る。我々の見解では、UE支援又はeNBベースのアンライセンスドスペクトルでのPCI衝突回避メカニズムが導入されるべきである。
【０２７１】
提案4：アンライセンスドスペクトル内のPCI衝突回避メカニズムが導入されるべきである。
【０２７２】
［付記３］
本付記では、不連続LAA DL送信の初めにサポートされるべき機能について検討する。
【０２７３】
（DL送信の開始に関する考察）
提案1：粗い同期がLAA DRSによってサポートされるべきである。LAA syncが提供する細かい時間/周波数チューニングはデータバーストの初めにサポートされるべきである。
【０２７４】
提案2：現在の物理制御チャネル領域はLAA syncに置き換えられるべきである。
【０２７５】
（リソース割当情報のためのブロードキャストチャネル）
LAAセルが他のLAAセルのデータ送信期間を認識している場合、eNBは、その期間中にLBTを一時停止することができる。よって、アンライセンスドスペクトル上のある程度のリソース割り当て情報がブロードキャストされるべきかどうかを検討すべきことを提案する。この情報は、データバーストの先頭にある初期信号（initial signal）を介して搬送されるべきである。この信号は、送信側eNBのリソース使用状況情の報を取得するために隣接LAAセルによって読み取られる。
【０２７６】
提案3：アンライセンスドスペクトル上のある程度のリソース割り当て情報が初期チャネル（initial channel）でブロードキャストするべきかどうかを検討すべきである。
【０２７７】
データバーストの先頭に次の機能をサポートしている。
【０２７８】
提案4：次の機能がデータバーストの先頭に配置されるべきである。
【０２７９】
1）AGC設定
2）時間・周波数同期
3）LAA送信の検出
4）セルID/オペレータIDの情報及びデータ送信のリソース情報
【０２８０】
（初期信号のための物理チャネル設計）
図３５は、初期信号の設計の例を示す図である。我々の見解では、DRS及び初期信号は、同期及びブロードキャスト制御情報などの同様な要件を持っている。そこで、初期信号のために使用される同一のDRSの設計を提案する。なお、初期信号は予約信号を含まないと解釈する。初期信号及びDRSの違いは非常に少なくあるべきであり、例えば、それら2つのチャネルの違いを示すために1ビットのフラグを使用することができる。DRSタイミング及び初期信号タイミングが衝突した場合、図３６に示すように、DRS及び初期信号は、制御情報を利用して多重化することができる。
【０２８１】
提案5：初期信号及びDRSのために同一の設計構造が使用される。
【０２８２】
提案6：初期信号及びDRSの間の差を制御情報の一部にするべきである。
【０２８３】
［付記４］
（はじめに）
本付記では、DRSの設計を検討する。
【０２８４】
（DRS送信及びLBT方式）
前回会合では、RAN1はDRS送信を議論し、LBTを適用した場合のためにALT1及びALT2に合意した。この章では、これら2つの選択肢及びDRS送信のためのLBT方法について検討する。
【０２８５】
ALT1の場合、UEは単にDMTCに従うことができるので、仕様及びUEの受信機の複雑さへの影響は無視できる。しかし、LBTが長期間成功しない場合、適切な同期精度が得られない、及び/又は必要なRRM測定値が利用可能とならないかもしれない。これは、データ受信及び/又はRRM機能に深刻な影響が発生する。
【０２８６】
一方、ALT2の場合、固定サブフレーム内でLBTが成功しない場合でも、enhanced DMTCにより設定された複数のサブフレームを探索する複雑性という犠牲を払って、他のサブフレームで送信されるDRSにより同期精度及びRRM測定の可用性を維持することができる。さらに、UEは、RRM測定のためのDRSサブフレームを認識するべきであるかもしれない（例えば、サブフレーム/スロット番号に基づくレプリカ系列生成、次のDRS機会の推定など）。
【０２８７】
上記の検討は、表1に要約されている。我々の意見では、ALT1は、同期精度とRRM測定要件が任意の拡張機能あり又はなしで満たされる場合、UEの複雑さの増大を回避するために好ましい。RAN1は、同期及びRRM測定についてのALT1の影響を評価するべきである。
【０２８８】
提案1：RAN1は、同期及びRRM測定についてALT1の影響を評価し、必要に応じて対応する要件についてRAN4に依頼するべきである。RAN1は、合意された選択肢に可能な強化を検討すべきである。
【０２８９】
【表１】
2016121730.tif 000003
【０２９０】
前回RAN1会合では、DRS設計は、LBT対象のLAA Scell上でDRS送信を可能にするべきであることが提案された。LBT方式は、主にFBE及びLBEに分かれている。DRSは、常にすべてのサービングUEによって受信されるブロードキャスト信号/情報として使用され、送信の一定のタイミングはUEの複雑さの観点から有益であるため、我々の見解では、FBEは、DRS送信のケースに好適である。LBEが適用される場合、UEは、すべての送信のためのDRSタイミングを探索する必要があるため、高いバッテリ消費をもたらす。
【０２９１】
提案2：LBTベースのFBEがDRS送信のために適用されるべきである。
【０２９２】
（LLA DRSの物理設計）
我々の見解では、以下の情報がLAA SCellsによってLAA DRSで送信されるべきである。
【０２９３】
・PSS / SSS / CRS /（CSI-RS）
・制御情報
・ビーコン
【０２９４】
RAN1の合意によると、LAA DRSは、少なくともRRM測定をサポートするべきである。よって、LAA DRSは、この要件を満たすために、PSS / SSS / CRSを含める必要がある。
【０２９５】
アンライセンスドバンドについては、占有チャネル帯域幅について、欧州の規制がある。システム帯域幅が40MHz以下である場合、規制によると、1OFDMシンボル内の80％以上が信号によって満たされるべきである。DRSは、システム帯域幅の中心で1.4MHz（6RB）のみを占有する同期信号（PSS / SSS）を含み、その他のリソースで送信される信号は明示的に仕様化されていない。そのため、規制によって許可されていない、より広いシステム帯域幅の展開においてシステム帯域幅の多くの無駄があるかもしれない。可能な解決策の1つは、周波数ドメインにおいて同期信号を（例えばシステム帯域幅に相当）に拡大することである。しかし、この解決策は、著しく仕様に影響を与え、かつUEの複雑性を増大させる（例えば、様々な同期信号サイズの検出など）。我々の見解では、RAN1は、図３７に示すように、未使用のリソースを特定の信号で埋めるなど、他の方法を検討するべきである。特定の信号は、OFDMシンボル内の低い電力密度に起因する他の装置（例えばWiFi）のCCAの潜在的な誤検出を回避するために、OFDMシンボル内のほぼすべての残りの帯域幅を一定の密度で覆うように配置されるべきである。
【０２９６】
提案3：RAN1は、LAA DRSのために現在の同期信号を再利用し、空白のリソース（blank resources）を埋めるための特定の信号を検討するべきである。
【０２９７】
制御情報は、少なくとも、リソースマッピング情報とPLMN IDとを含むLAAセル情報を提供する。また、現在のサブフレーム番号及びSFNのサブセットを確認するために、サブフレーム数及びSFNのサブセットが少なくともALT2 DRS送信のために使用される。現在のサブフレーム番号及びSFNのサブセットがサービングセルによりDMTCを介して設定される固定サブフレームに対応する場合、UEは、受信されたDRSが固定サブフレームで送信されたと意識することができる。ALT1のケースでは、サブフレーム番号及びSFNのサブセットが必要とされない場合がある。
【０２９８】
DRS送信がPDSCHの送信と同時に発生した場合に、制御情報で提供されるリソースマッピング情報は、PDSCHリソース割り当て情報を示す。我々の見解では、PDSCHの送信がDRSの機会と同じサブフレームにスケジューリングされる場合、セルはPDSCH及びDRSを同時に送信するべきである。
【０２９９】
提案4：LAA DRSサブフレームは、LAAセル情報を提供する制御情報を含むべきである。
【０３００】
ビーコンは、スペクトル使用に関連する情報を含み、隣接セルにより使用される。隣接LAAセルがビーコンを検出し、この情報を考慮して自LAAセルで使用する適切なチャネルを選択することができる。ビーコンの内容は、アンライセンスドスペクトルのトラフィック負荷、LBT失敗の数及び/又は使用キャリアの数に関連することができる。
【０３０１】
提案5：LAA DRSサブフレームは、スペクトル使用に関連し且つ隣接セルで使用される情報を含むビーコンを含むべきである。
【０３０２】
[付記５]
（はじめに）
本付記では、アンライセンスドバンドにおけるLAAスケジューリングのためのLAA制御チャネルの必要性及びLAAスケジューリングを仕様化する方法を検討する。
【０３０３】
（セルフスケジューリングの必要性）
LAAのスケジューリングに関して、セルフスケジューリング及びクロスキャリアスケジューリングを考慮することができる。アンライセンスドバンドでは、複数のコンポーネントキャリア（CC）のサポートが考慮されるべきであり、これらのCCの各々は、スケジューリングのための制御チャネルを必要とする。ライセンスドキャリア上の制御チャネルへの影響を考えると、我々はアンライセンスドバンドにおけるセルフスケジューリングをサポートするべきであると考える。現在の仕様によれば、セルフスケジューリングのための2つの制御チャネル、PDCCH及びEPDCCHがある。オリジナルのPDCCHは規制の問題のために再利用することはできないと考えられる。よって、我々はLAAスケジューリングのEPDCCHの再利用をサポートする。また、PDCCHを、初期信号と称する新しいチャネルに置き換えることができる。図３８は、LAA DL送信のためのチャネル割当ての一例を示す図である。
【０３０４】
提案1：アンライセンスドバンドにおけるセルフスケジューリングがサポートされるべきである。
【０３０５】
提案2：LAAのためにEPDDCHベースのセルフスケジューリングのみがサポートされるべきである。
【０３０６】
（スケジューリングアルゴリズムの検討）
Wi-Fiでは、全体の帯域幅が1ユーザによって占有される。我々は、スケジューリングによってWi-Fiの緩和を考慮することができると考える。LTEは、図３９に示すように、Wi-FiからのLAAの影響を低減するために、周波数ドメイン拡張スケジューリングよりも時間ドメイン拡張割り当てを使用するべきである。各UEに対する複数サブフレーム割り当てについては、TTIバンドリング又は時間連続RBでのチャネル符号化により仕様化することができる。さらに、複数サブフレームスケジューリングは、制御チャネルのオーバーヘッドを低減する。
【０３０７】
提案3：1つのDCIによる複数サブフレームスケジューリングがLAAのために検討されるである。
【０３０８】
［付記６］
付記６に係る基地局は、アンライセンスドバンドにおいて下りリンクデータを送信する制御部を備える。前記制御部は、サブフレーム内の予め規定されたタイミングである開始タイミング候補の中から、前記下りリンクデータの送信を開始する開始タイミングを決定する。
【０３０９】
（はじめに）
3GPPは、ライセンスドスペクトルとの組み合わせでアンライセンスドスペクトルの使用を検討し、結果を報告している。これらの結果を考慮して、RAN#68で、DL送信のみのLAA SCellオペレーションを仕様化する新たなWI「Licensed-Assisted Access using LTE」を承認した。本付記では、DL送信設計の見解を示す。
【０３１０】
（DL送信設計）
報告された結果によると、カテゴリ4 LBTメカニズムは少なくともPDSCHを含むLAA DL送信バーストのためのベースラインである。カテゴリ4 LBTメカニズムがPDSCH送信に適用される場合、DL送信タイミング、チャネルを予約する予約信号、UEにDL送信の開始タイミングを示す初期信号（initial signal）を検討する必要がある。我々のDL送信設計の概要を図２９に示す。この章では、DL送信タイミング及び信号設計の詳細を検討する。本付記では、初期信号、PDCCH、及びPDSCHからなる部分をDLデータ送信と称する。
【０３１１】
DLデータ送信タイミング
カテゴリ4 LBTメカニズムが適用される場合、CCAは、サブフレーム境界にかかわらず終了する。CCA終了後の予約信号の送信後、DLデータ送信開始タイミングについて、DLデータ送信が常に次のサブフレームの境界を待って開始するかどうかの2つの選択肢がある。
【０３１２】
周波数利用効率を考慮すると、DLデータ送信は、特に最大DL送信バースト期間が短い場合（例えば日本の規制で最大4msバースト）、次のサブフレームの境界まで待たずに開始することができるべきである。例えば、予約信号が部分的サブフレームの全ての間で送信される場合、予約信号は、4msのバースト送信の場合のDLバースト送信の最大25％を占める。しかし、開始タイミング候補として全てのOFDMシンボルをサポートすることは、eNBとUEの両方で計算が複雑になる。例えば、eNBはCCAプロセスを試す前にCCA終点を知ることができないで、eNBはPDSCHのために異なるTBSで複数のパケットを準備しなければならない。また、eNBがDLデータ送信をいつ開始するかUEが分からないので、UEは、DLデータ送信の全ての可能な開始タイミングを検索する必要がある。これは、従来の方法よりもUEがより複雑で計算集中になる。一つの解決策は、OFDMシンボルの開始タイミングを制限することである。加えて、限られた開始タイミングは、サブフレーム内の特定のOFDMシンボルｘ（図４０）よりも前に配置する必要があると想定する。開始タイミングがサブフレーム内の特定のOFDMシンボルｘよりも後に配置される場合、PDSCHの符号化レートが高すぎて復号できず、UEが再送なしで正しくPDSCHを復号することができなくなる。ｘの値については更なる検討が必要である。
【０３１３】
提案1：DLデータ送信の開始タイミングを制限することは、eNB及びUEの計算負荷及び複雑性の観点から好ましい。さらに、限られた開始タイミングの候補は、サブフレーム内の特定のOFDMシンボルｘよりも前に配置されるべきである。
【０３１４】
予約信号
CCA終了とDLデータ送信の開始タイミングとの間の時間ギャップがある。eNBがこの時間ギャップの間に何も送信しない場合、他の装置（例えば、アクセスポイント又は他のオペレータのeNB）は、任意の信号を送信することができる。従って、eNBは予約信号を送信すべきである。
【０３１５】
提案2：予約信号は、他の装置による中断を防ぐために使用されるべきである。
【０３１６】
予約信号は、予約の長さがOFDMシンボルよりも短いか否かに応じて２つのパターンに分けられる。予約信号の時間長が１つのOFDMシンボルよりも短い場合、そのギャップは任意のデータを送信するのに十分な長さではない。しかし、eNBはこのギャップ隙間で次のOFDMシンボルのCP（サイクリックプレフィックス）拡張を送信することができる（図４１（a）参照）。CP拡張の送信は、初期信号の検出性能を向上させる。しかし、CP拡張部分と次のOFDMシンボルのCPとを含む予約信号の合計時間が1有効OFDMシンボルの長さよりも長い場合、UEがデュアルピーク検出によりシンボルタイミングを判断することができないかもしれない（例えば、予約信号= 60us、CP = 16.7us）（図４１（b）参照）。
【０３１７】
提案3：予約信号が1OFDMシンボルよりも短い場合、予約信号の少なくとも一部は、CPの拡張として使用されるべきである。しかし、CP拡張と次のOFDMシンボルのCPとの合計持続時間は、有効OFDMシンボルの長さよりも短くあるべきである。
【０３１８】
一方、予約信号の時間長が1OFDMシンボルよりも長い場合、eNBは、DLデータ送信をサポートするために使用することができる冗長データを送信し得る。しかし、予約信号は、UEが受信しなければならない重要なデータを含めるべきではない。1つのオプションは、DLデータ送信の開始タイミングの直前にCP拡張として使用することである。
【０３１９】
提案4：予約信号が1OFDMシンボルよりも長い場合、UEの複雑さを回避するために、予約信号はUEが受信しなければならない重要なデータを含めるべきではない。
【０３２０】
初期信号
UEは、DLデータ送信の開始タイミングを認識する必要がある。UEは、全ての候補タイミングでDLデータ送信の開始タイミングを検出するためのブラインド復号を行うことになる。しかし、ブラインド復号は、UEの計算集中が必要である。DLデータ送信の開始タイミングを通知する初期信号を定義することが好ましい。1つの候補信号は、検出することが容易である1又は2つのOFDMシンボル内のPSS/SSSである。しかし、レガシーPSS/SSSは、システム帯域幅（図４２）の中央に配置される。これは、部分的帯域幅の重複ケースにおいて動作する装置に対してチャネルを予約することができない。1つの解決策は、図４３で示した帯域幅内に複数のPSS/SSSを配置することである。
【０３２１】
提案5：初期信号は、DLデータ送信の開始タイミングを示すために使用され、1つ又は2つのOFDMシンボル内の複数のPSS/SSSに配置される。
【０３２２】
一方、UEは、同一の物理設計が使用される場合、その信号を初期信号又はDRSであるか理解することができない。1つのシンプルな解決策は、DRSと初期信号とでSSSの異なるシーケンスを使用することである。
【０３２３】
PDCCH/PDSCH
基本的に、CCAがいつ終了するかをeNBが事前に認識していないので、PDCCH及びPDSCHフォーマットは、PDSCHのために異なるTBSで複数のDCI及びパケットを準備することを除いて変更されないことを想定する。さらに、部分的なサブフレームを採用するために新たなTBSを定義する必要がある。1つのアプローチは、PDSCHに利用可能なOFDMシンボルの数に比例してTBSを変更することである。例えば、利用可能なOFDMシンボルが通常のCPで5である場合、送信TBSは、floor (5/14 * TBS / 8) * 8である。
【０３２４】
eNBがPDSCHのために異なるTBSで複数のパケットを準備することをサポートしない場合、この問題を解決する別の方法は、eNBが、利用可能なOFDMシンボルのワーストケースの数のための最小パケットを送信することである。高い部分的サブフレーム送信の非効率性と引き換えに低い複雑性を有する。
【０３２５】
提案6：RAN1は異なる送信期間を取り扱うために異なるTBSのサイズを検討すべきである。
【０３２６】
［相互参照］
米国仮出願第６２/１１０１３９号（２０１５年１月３０日出願）、米国仮出願第６２／１４５８６３号（２０１５年４月１０日出願）、米国仮出願第６２／２０３５９２号（２０１５年８月１１日出願）、日本国特許出願第２０１５−１５９０４９号（２０１５年８月１１日出願）の全内容が、参照により本願明細書に組み込まれている。
【産業上の利用可能性】
【０３２７】
本発明は、通信分野において有用である。
【図１】
2016121730.tif 000004
【図２】
2016121730.tif 000005
【図３】
2016121730.tif 000006
【図４】
2016121730.tif 000007
【図５】
2016121730.tif 000008
【図６】
2016121730.tif 000009
【図７】
2016121730.tif 000010
【図８】
2016121730.tif 000011
【図９】
2016121730.tif 000012
【図１０】
2016121730.tif 000013
【図１１】
2016121730.tif 000014
【図１２】
2016121730.tif 000015
【図１３】
2016121730.tif 000016
【図１４】
2016121730.tif 000017
【図１５】
2016121730.tif 000018
【図１６】
2016121730.tif 000019
【図１７】
2016121730.tif 000020
【図１８】
2016121730.tif 000021
【図１９】
2016121730.tif 000022
【図２０】
2016121730.tif 000023
【図２１】
2016121730.tif 000024
【図２２】
2016121730.tif 000025
【図２３】
2016121730.tif 000026
【図２４】
2016121730.tif 000027
【図２５】
2016121730.tif 000028
【図２６】
2016121730.tif 000029
【図２７】
2016121730.tif 000030
【図２８】
2016121730.tif 000031
【図２９】
2016121730.tif 000032
【図３０】
2016121730.tif 000033
【図３１】
2016121730.tif 000034
【図３２】
2016121730.tif 000035
【図３３】
2016121730.tif 000036
【図３４】
2016121730.tif 000037
【図３５】
2016121730.tif 000038
【図３６】
2016121730.tif 000039
【図３７】
2016121730.tif 000040
【図３８】
2016121730.tif 000041
【図３９】
2016121730.tif 000042
【図４０】
2016121730.tif 000043
【図４１】
2016121730.tif 000044
【図４２】
2016121730.tif 000045
【図４３】
2016121730.tif 000046
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
移動通信システムにおいて用いられる基地局であって、
アンライセンスドバンドにおいて、下りリンクサブフレームを使用して制御信号及びデータを送信する送信部と、
前記送信部による送信を制御する制御部と、を備え、
前記下りリンクサブフレームは、前記制御信号が配置されるＰＤＣＣＨ区間と前記データが配置されるＰＤＳＣＨ区間とを含み、
前記ＰＤＣＣＨ区間において、前記制御信号が配置されない空き領域が存在する場合、前記制御部は、前記空き領域にダミー信号を配置する基地局。
【請求項２】
前記ダミー信号は、下りリンク同期信号である請求項１に記載の基地局。
【請求項３】
前記ダミー信号は、自基地局配下のユーザ端末に未割り当てのＲＮＴＩが適用された制御信号である請求項１に記載の基地局。
【国際調査報告】
2016121730.tif 000047
2016121730.tif 000048
2016121730.tif 000049
2016121730.tif 000050
2016121730.tif 000051
2016121730.tif 000052
2016121730.tif 000053
2016121730.tif 000054
2016121730.tif 000055
2016121730.tif 000056
2016121730.tif 000057
2016121730.tif 000058
2016121730.tif 000059
2016121730.tif 000060
2016121730.tif 000061
2016121730.tif 000062